(57)【特許請求の範囲】
【請求項１】
遊技球が入球し難いまたは入球し得ない閉状態と入球し易い開状態との間で変移し得る可変部を備える可変入賞装置と、遊技球の自重により駆動されて初期位置から作動位置へ移動し得るとともに、初期位置から作動位置へ移動する途上で前記可変入賞装置の可変部に係合して該可変部を変移させるように、単独でまたは複数の部材で連動して動作するように構成された可動部材と、該可動部材に係合して該可動部材を動作し得ないように保持する係合部材とを備え、
前記係合部材の側部に、遊技球に当接することにより前記可動部材との係合を解除する方向に前記係合部材を押しのけるカム面が形成されている遊技機。
【請求項２】
前記係合部材が前記可動部材に係合して該可動部材を動作し得ないように保持する係合状態にあるときに、前記カム面に遊技球が当接することにより前記係合部材が押しのけられるとともに、前記可動部材が前記係合部材を係合解除する方向に案内することを特徴とする請求項１に記載の遊技機。
【請求項３】
前記可動部材および前記係合部材の少なくとも一部が、ほぼ閉塞したケースの内部に収容されてユニットが構成され、
前記ユニットに入賞センサが搭載されていることを特徴とする請求項１または２に記載の遊技機。
【発明の詳細な説明】
【技術分野】
【０００１】
本発明は、パチンコ機等の弾球遊技機に代表される遊技機に関するものである。
【背景技術】
【０００２】
従来、パチンコ機等の弾球遊技機としては、遊技球が流下する遊技領域内に、例えば一対の可動翼が左右両側に回動して開閉し、遊技球が両可動翼の間を経て入球口に導入されるように構成された、チューリップと称される可変入賞装置が配置されたものが一般に知られている。チューリップは、基本的に、遊技球が両可動翼の間に入球することにより開閉するように構成されるが、当該チューリップへの入球を契機として開閉するのみでは単調であることから、例えば下記の特許文献１および２に開示されているように、別の箇所に配置された入賞口等に入球した遊技球の重みによってリンク機構を駆動し、このリンク機構を介してチューリップを開閉させる構成とし、これにより遊技性を向上させるようにしたものも知られている。
【０００３】
上記特許文献１および２に記載のリンク機構は、リンク機構の作動アームがチューリップの開閉レバーを押し下げるようにして該チューリップを開放する構成となっているが、このようなリンク機構の場合、リンク機構の作動アームとチューリップの開閉レバーとの位置関係が逆転したりすると、動力が伝達されずチューリップの開閉がなされないこととなるため、この位置関係は逆転させることなく適正な状態に保持しておくことが必要である。
【０００４】
ところが、これら作動アームや開閉レバーは揺動自在に設けられるものであるため、例えば遊技機の製造工程でこれらが揺動して誤った位置関係となった状態で取り付けられてしまうといった不良も生じやすい。例えばチューリップが１つだけ配置されるような場合には、作動アームと開閉レバーとの位置関係に留意しながら取付作業を行うことも比較的に容易ではあるが、チューリップが多数配置されるほど、作動アームと開閉レバーとの位置関係を適正に保持しながら取付作業を行うことも困難となり、不良もそれだけ生じやすくなる。
【０００５】
そこで、上記のような問題を解消すべく、例えば下記の特許文献３には、スライド可能に配置された固定手段をリンク機構の作動領域に当接させることにより、リンク機構を一時的に動作し得ないように固定して、リンク機構の作動アームとチューリップの開閉レバーとを一定の位置関係に保持するようにすることが開示されている。
【先行技術文献】
【特許文献】
【０００６】
【特許文献１】特開昭５６−８５３７４号公報
【特許文献２】特開昭５６−８５３７５号公報
【特許文献３】特開２００７−２５２６３３号公報
【発明の概要】
【発明が解決しようとする課題】
【０００７】
しかしながら、上記のような固定手段でリンク機構を固定することにより作動アームと開閉レバーとの位置関係を保持するようにした構成によれば、取付作業時には固定手段を固定位置にセットしてリンク機構を固定し、作業終了後は固定手段を退避位置に移動させてリンク機構を可動状態に復帰させる必要があり、したがってこの固定手段の進退（スライド）操作のぶん作業の手間が増えることとなり、さらに重要なことに、作業時にこの固定手段のセット操作を忘れたりすると不良の防止策が実行されないこととなり、また特に、作業終了後に固定手段を退避位置に戻す操作を忘れたりすると、リンク機構が作動不能な固定状態のままとなり、結局、この固定手段自体が不具合を生じる原因となってしまう。
【０００８】
本発明は、上述した問題点を解決するためになされたものであり、その目的とするところは、可変入賞装置の開閉機構の保持および解除を好適に行うことが可能な遊技機を提供することにある。
【課題を解決するための手段】
【０００９】
本発明に係る遊技機は、上記目的を達成するために、
遊技球が入球し難いまたは入球し得ない閉状態と入球し易い開状態との間で変移し得る可変部を備える可変入賞装置と、遊技球の自重により駆動されて初期位置から作動位置へ移動し得るとともに、初期位置から作動位置へ移動する途上で前記可変入賞装置の可変部に係合して該可変部を変移させるように、単独でまたは複数の部材で連動して動作するように構成された可動部材と、該可動部材に係合して該可動部材を動作し得ないように保持する係合部材とを備え、
前記係合部材の側部に、遊技球に当接することにより前記可動部材との係合を解除する方向に前記係合部材を押しのけるカム面が形成されていることを特徴とする。
【００１０】
また、前記係合部材が前記可動部材に係合して該可動部材を動作し得ないように保持する係合状態にあるときに、前記カム面に遊技球が当接することにより前記係合部材が押しのけられるとともに、前記可動部材が前記係合部材を係合解除する方向に案内することが望ましい。
【００１１】
また、前記可動部材および前記係合部材の少なくとも一部が、ほぼ閉塞したケースの内部に収容されてユニットが構成され、
前記ユニットに入賞センサが搭載されていることが望ましい。
【発明の効果】
【００１２】
本発明によれば、可変入賞装置の開閉機構の保持および解除を好適に行うことが可能となる。
【図面の簡単な説明】
【００１３】
【図１】パチンコ機の正面図。
【図２】外枠に対して内枠と前面枠セットとセット板とを開放した状態を示す斜視図。
【図３】パチンコ機から前面枠セットを取り外した状態を示す内枠の正面図。
【図４】内枠の斜視図。
【図５】遊技盤の構成を示す正面図。
【図６】遊技盤の構成を示す斜視図。
【図７】遊技盤の裏面側における基板の配置を示す背面図。
【図８】遊技盤の裏面側における基板ケース、リンク機構等の配置を示す背面図。
【図９】遊技盤の裏面側の構成を示す斜視図。
【図１０】センター役物の正面図。
【図１１】図１０のＡ−Ａ線断面図（ｂ）。
【図１２】センター役物の背面側から視た分解斜視図。
【図１３】センター役物の正面側から視た分解斜視図。
【図１４】ドラムおよび回転体の背面側から視た斜視図。
【図１５】ドラムおよび回転体の正面側から視た斜視図。
【図１６】センター役物の動作段階（前半ａ、ｂ段階）を示す模式図。
【図１７】センター役物の動作段階（後半ｃ、ｄ段階）を示す模式図。
【図１８】右リンク機構の一部における動作を示す正面図。
【図１９】右リンク機構の一部における動作を示す正面図。
【図２０】下リンク機構の一部における動作を示す正面図。
【図２１】下リンク機構の一部における動作を示す正面図。
【図２２】下リンク機構の一部における動作を示す正面図。
【図２３】左リンク機構における動作を示す正面図。
【図２４】遊技盤の裏面側の構成を示す分解斜視図。
【図２５】リンクユニットの背面側から視た分解斜視図。
【図２６】リンクユニットの正面側から視た分解斜視図。
【図２７】集合板の背面側から視た分解斜視図。
【図２８】集合板の正面側から視た分解斜視図。
【図２９】可変入賞装置の正面側から視た分解斜視図。
【図３０】可変入賞装置の背面側から視た分解斜視図。
【図３１】下リンク機構の一部を正面側から視た分解斜視図。
【図３２】下リンク機構の一部を背面側から視た分解斜視図。
【図３３】下リンク機構の一部における動作を示す正面図。
【図３４】下リンク機構の一部における動作を示す正面図。
【図３５】可動部材の他の例を示す模式正面図。
【図３６】動力伝達機構の他の例を示す正面図。
【発明を実施するための形態】
【００１４】
以下、本発明の最良の形態について、図面を参照して詳述する。但し、本発明の実施に際しては、本発明の主旨から逸脱しない限り適宜部分改変可能である。
【００１５】
（パチンコ機の正面構成）
図１は本実施形態のパチンコ機１０の正面図であり、図２は外枠１１に対して内枠１２と前面枠セット１４と、セット板４００を開放した状態を示す斜視図である。（但し、図２では便宜上、遊技盤４面上の遊技領城内の構成〔釘、センター役物等〕を空白で示しているが、アウト口３６は描いてある）。
【００１６】
図１および図２に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
【００１７】
内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００１８】
前面枠セット１４及び内枠１２の構成を、図１〜図４を用いて詳細に説明する。図３は、パチンコ機１０の外枠１１から前面枠セット１４及び遊技盤４を取り外した状態を示す背面図であり、図４は、その背面からの斜視図である。
【００１９】
前面枠セット１４は、大別すると、その最下部に設けられた球受皿部分と、この球受皿部分よりも上側の範囲に形成される窓枠部分と、を備えている。内枠１２は、左側の上下方向の開閉軸線を軸心にして外枠１１に対して開閉自在に取り付けられ、後述する樹脂ベース２０を備え、この樹脂ベース２０の前側に前面枠セット１４が取り付けられ、後側に遊技盤４が取り付けられている。
【００２０】
上記球受皿部分は、上記前面枠セット１４の下側部分に対してネジ等の締結具により固定されている。この球受皿部分の前面側には、下皿１５と球抜きレバー１７と遊技球発射ハンドル１８と灰皿２２とが設けられている。また、球受皿としての下皿１５は、後述の上皿１９が満タンになった場合等に排出口より排出される遊技球を停留する機能を有している。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００２１】
そして、遊技球発射ハンドル１８は、下皿１５よりも右方で手前側に突出するように配設されている。遊技者による遊技球発射ハンドル１８の操作に応じて、遊技球発射装置３８（図２及び図３）によって遊技球が遊技盤４の方へ打ち込まれるようになっている。遊技球発射装置３８は、発射ソレノイドなどで構成されている。音出力口２４は、前面枠セット１４の左右上端部位置に設けられたスピーカ（図示略）からの音を出力するための出力口である。また、灰皿２２は下皿１５の左方に設けられている。灰皿２２は左右方向（水平方向）の軸線を軸心にして回動（例えば前方側に向けて前回り）するように設けられている。
【００２２】
なお、前面枠セット１４は、その大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００２３】
また、前面枠セット１４は、図２に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ内に嵌まり込むようにして取り付けられている。つまり、この前面枠セット１４の側面の少なくとも一部が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。また、前面枠セット１４は、内枠１２と同様に、合成樹脂、具体的にはＡＢＳ樹脂により構成されているので、粘性が高く衝撃に強くでき、低コストで製造できる。
【００２４】
一方、上記前面枠セット１４の球受皿部分のうち上述の下皿１５の上方位置には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００２５】
図３、図４に示すように、内枠１２は、外形が矩形状の樹脂ベース２０を主体に構成されており、樹脂ベース２０の中央部には略円形状の窓孔２１が形成されている。
そして、樹脂ベース２０の後側には遊技盤４が着脱可能に装着されている。遊技盤４は四角形状の合板よりなり、その周縁部が樹脂ベース２０（内枠１２）の裏側に当接した状態で取着されている。従って、遊技盤４の前面部の略中央部分が樹脂ベース２０の窓孔２１を通じて内枠１２の前面側に露出した状態となっている（図２では遊技盤４のアウト口３６が示されている）。そして、ここでは、遊技盤４の前記内枠１２の外枠１１に対する枢着部（パチンコ機１０の正面からみて左側に上下に延びる開閉軸線を軸心にした枢着）に近いコーナー（隅）が、略三角形状に角落ち（切り欠き）されている。
【００２６】
また、遊技盤４には、図５に示すように、遊技球発射装置３８から発射された遊技球を遊技盤４上部へ案内するためのガイドレール５０が取り付けられており、遊技球発射ハンドル１８の回動操作に伴い発射された遊技球はガイドレール５０を通じて所定の遊技領域に案内されるようになっている。ガイドレール５０は、遊技球の飛翔をより滑らかなものとするべく、つまり遊技球の摩擦抵抗を少なくするべく、長尺状をなすステンレス製の金属帯としての摺動プレートにて構成されており、内外二重のリング状をなすように形成された内レール５１と外レール５２とを有する。なお、ガイドレール５０は、樹脂成型品でもよく、フッ素樹脂を添加して成形することが好ましく、これによって遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤４との当接面を有した溝状、すなわち手前側を開放した溝状に形成されている。
【００２７】
内レール５１の先端部分には戻り球防止部材５３が取着されている。これにより、一旦、内レール５１および外レール５２間の球案内通路から遊技盤４の上部へと案内された遊技球が再度球案内通路内に戻ってしまうといった事態が防止されるようになっている。
【００２８】
遊技盤４の右下隅部は、証紙（例えば製造番号が記載されている）等のシールやプレートを貼着するためのスペースとなっている。遊技盤４に証紙等のシールを貼着することで、遊技盤４と証紙との一義性を持たせることができる。
【００２９】
次に、遊技領域について説明する。遊技領域は、ガイドレール５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤４の下端位置によって特定される。また、遊技領域の上側限界位置は外レール５２によって特定される。
【００３０】
前記樹脂ベース２０において、窓孔２１（遊技盤４）の下方には、遊技球発射装置３８より発射された直後に遊技球を案内するための発射レールが取り付けられている。発射レールは、その後方の金属板を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りガイドレール５０の球案内通路を通じて所定の遊技領域に案内されるようになっている。
【００３１】
また、発射レールとガイドレール５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００３２】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００３３】
図２中の符号４９は上皿１９に通ずる排出口であり、この上皿排出口４９を介して遊技球が上皿１９に排出される。この上皿排出口４９には、略水平方向の回転軸を軸心として略水平状態と略垂直状態とに変位する開閉式のシャッタが取り付けられている、前面枠セット１４を内枠１２から開放した状能（図２の状態）では、バネ等の付勢力によりシャッタが略水平状態から略垂直状態となり、上皿排出口４９から遊技球がこぼれ落ちないようにこの上皿排出口４９を閉鎖する。また、前面枠セット１４を閉鎖した状態では、当該前面枠セット１４の裏面に設けられた球通路樋６９（図２参照）によりシャッタが押し開けられて略水平状態になり、上皿排出口４９の方へ排出された遊技球はもれなく球通路樋６９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００３４】
図１に示すように、樹脂ベース２０には、窓孔２１の右下部に楕円形状の小窓２３が設けられている。従って、遊技盤４の右下隅部に張られた証紙などのシール（図示省略）は、この小窓２３を通じて視認できるようになっている。また、この小窓２３からシール等を貼り付けることも可能となっている。
【００３５】
また、図４に示すように、内枠１２の左端部には、前面枠セット１４の支持機構として、支持金具８１，８２が取り付けられている。上側の支持金具８１には図の手前側に切欠を有する支持孔８３が設けられ、下側の支持金具８２には鉛直方向に突出した突起軸（図外）８４が設けられている。
【００３６】
図２に示すように、内枠１２の上側には、前面枠セット１４が内枠１２に対して開かれたことを検出する前面枠セット開検出スイッチ９０が設けられている。前面枠セット１４が開かれると、前面枠セット開検出スイッチ９０からホール内（パテンコ店内）用コンピュータヘ出力されるようになっている。また、前面枠セット１４が閉じられると、前面枠セット１４の金属製の補強板が、内枠１２の一対の金具に接触するようになっており、前面枠セット１４のアースが確保されている。
【００３７】
ここで、前述した前面枠セット１４について、図１および図２を参照しつつより詳細に説明する。前面枠セット１４には前記遊技領域のほとんどを外部から視認することができるよう略楕円形状の窓部２５が形成されている。詳しくは、窓部２５は、その左右側の略中央部が、上下側に比べて比較的緩やかに湾曲した形状となっている。なお、前記略中央部が直線状になるようにしてもよい。
【００３８】
また、パチンコ機１０の正面から見て窓部２５の左端と前面枠セット１４の左端との間の最短距離（いわゆる左側部フレーム部分の左右幅）、すなわち開閉軸線側のフレーム幅は、前面枠セット１４自体の強度および支持強度を高めるために比較的大きく設定されている。この場合、図１および図５を相互に比較すると明らかなように、前面枠セット１４が閉じられた状態において、外レール５２の左端部はもちろん、内レール５１の左端部も前記左側部フレーム部分によって覆い隠される。つまり、誘導レールの少なくとも一部が、パチンコ機１０の正面からみて前面枠セット１４の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット１４の十分な強度および支持強度が確保可能となっている。
【００３９】
加えて、前面枠セット１４にはその周囲（例えばコーナー部分）に、演出装置７００の一つとして、各種ランプ等の発光手段が設けられている。これら発光手段は、後述する昼間型遊技状態ないし夜間型遊技状態時や羽根開放時等における遊技状態の変化に応じて点灯、点滅のように発光態様が変更制御され遊技中の演出効果を高める役割を果たすものである。例えば、窓部２５の周縁には、ＬＥＤ等の発光手段を内蔵した電飾部３０が左右対称に設けられ、パチンコ機１０の最上部には、同じくＬＥＤ等の発光手段を内蔵した中央電飾部１３１が設けられている。本パチンコ機１０では、中央電飾部１３１が遊技状態を報知するランプとして機能し、所定の遊技状態時に点灯や点滅を行うことにより、所定の遊技状態中であることを報知する。さらに、上皿１９周りにも、同じくＬＥＤ等の発光手段を内蔵した上皿電飾部３３が設けられている。その他、中央電飾部１３１の左右側方には、賞球払出し中に点灯する賞球ランプ１３２が設けられている。また、電飾部３０の下端部に隣接するようにして、内枠１２表面や遊技盤４表面等の一部を視認できるよう透明樹脂からなる小窓が設けられている。この小窓は平面状とし、遊技盤４の右下隅部に貼り付けられた証紙などを、小窓の当該平面状箇所から機械で好適に読み取ることができる。更に、遊技領域内にも、役物用、入賞口用等の電飾ランプ、ＬＥＤが存在するが、こうした発光手段も演出装置となる。
【００４０】
また、窓部２５の下方には貸球操作部が配設されており、貸球操作部には球貸しボタンと、返却ボタンと、度数表示部とが設けられている。パチンコ機１０の側方に配置された図示しないカードユニット（球貸しユニット）に紙幣やカード等を投入した状態で貸球操作部が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部が不要となる。故に、貸球操作部の設置部分に、飾りシール等が付されるようになっている。これにより、カードユニットを用いたパチンコ機と現金機との貸球操作部の共通化が図れる。
【００４１】
また、図１に示すように、前面枠セット１４の左側を前面側（図１の紙面手前側）に必要以上に突出しないようにしている。こうすることで、パチンコ機１０の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００４２】
次に、図５ないし図８を用いて遊技盤４の構成を説明する。図５は遊技盤４の構成を示す正面図、図７および図８は遊技盤４の裏面側の構成を示す背面図である。
【００４３】
遊技盤４は、図５に示すように、遊技領域内に、多数の釘が植設されるとともに、風車や以下に挙げるような各種入賞装置等が配置されて構成されている。遊技領域の中央には、後に詳述するセンター役物４１が配置され、該センター役物４１には天入賞口４２および中上入賞口４３が形成されている。該センター役物４１の左右には、盤面から前方に突出し上方が開口していて遊技球を内部の入球口に案内する受け部、遊技盤に穿設され上記受け部に案内された遊技球が入球する入球口（図示せず）、遊技球の入球を検知する入球センサ（図示せず）等から構成される左上入賞装置４４および右上入賞装置４５がそれぞれ配置されている。上記センター役物４１の下には、中央入賞装置４６が配置され、該中央入賞装置４６は、一対の可動翼が左右両側に回動して開閉し、遊技球が両可動翼の間を経て入球口に導入されるように構成された、チューリップと称される可変入賞装置となっており、前面には「太陽」を模した装飾が施されている。該中央入賞装置４６の直上には３本の釘が三角形状に寄せて配置されており、可動翼が閉じている状態ではこれら釘に阻止されて遊技球が該中央入賞装置４６に入球し得ないようになっている。該中央入賞装置４６の下には、上下に２つの中下入賞装置４７Ａ、４７Ｂが並置するように配置され、上側の中下入賞装置（以下、上段側中下入賞装置とも称す）４７Ａは基本的に前記左上入賞装置４４ないし右上入賞装置４５と同様の構成を有する入賞装置となっており、下側の中下入賞装置（以下、下段側中下入賞装置とも称す）４７Ｂは前記中央入賞装置４６と同様の構成を有する可変入賞装置となっている。上記下段側中下入賞装置４７Ｂは、可動翼が閉じている状態では上段側中下入賞装置４７Ａにより閉塞されて遊技球が入球し得ない体勢となるように該上段側中下入賞装置４７Ａの直下に近接して配置され、また上段側中下入賞装置４７Ａと下段側中下入賞装置４７Ｂとは同一の部品内に一体的に形成されている。上記中下入賞装置４７Ａ、４７Ｂの右上方には、上下に２つの右下入賞装置４８Ａ、４８Ｂが並置するように配置され、該右下入賞装置４８Ａ、４８Ｂの右上方には、上下に２つの右中入賞装置４９Ａ、４９Ｂが並置するように配置されている。上記中下入賞装置４７Ａ、４７Ｂの左上方には、上下に２つの左下入賞装置５５Ａ、５５Ｂが並置するように配置され、該左下入賞装置５５Ａ、５５Ｂの左上方には、上下に２つの左中入賞装置５６Ａ、５６Ｂが並置するように配置されている。上記中下入賞装置４７Ａ、４７Ｂ、右下入賞装置４８Ａ、４８Ｂ、右中入賞装置４９Ａ、４９Ｂ、左下入賞装置５５Ａ、５５Ｂならびに左中入賞装置５６Ａ、５６Ｂの５対の入賞装置は、丸形の遊技領域の下縁に沿って円弧状に延びる列をなすように配置され、これら５対の入賞装置の構成はいずれも基本的に同様となっている。ただし、これら５対の入賞装置のうち、左端の左中入賞装置５６Ａ、５６Ｂに限っては、下側の入賞装置（以下、下段側左中入賞装置とも称す；他の入賞装置においても同様）５６Ｂの前面に「星」を模した装飾が施されており、これ以外の４対の入賞装置のそれぞれにおける下側の入賞装置、即ち下段側中下入賞装置４７Ｂ、下段側右下入賞装置４８Ｂ、下段側右中入賞装置４９Ｂならびに下段側左下入賞装置５５Ｂは前記中央入賞装置４６と同様に前面に「太陽」を模した装飾が施されている。
【００４４】
遊技領域の下端部にはアウト口３６が設けられており、上記各種入賞装置等に入球しなかった遊技球はこのアウト口３６を通って図示しない球排出路の方へと案内されるようになっている。
【００４５】
上記遊技盤４の裏面側には、図７に示すように、制御基板、ＬＥＤ基板等の各種基板が配置されている。上記センター役物４１の裏面側には、後述するＬＥＤ基板４１５、センターランプ中継端子板４３１Ｈおよびセンター中継基板４３１Ｌが配置され、上記センター役物４１の左右には、前記左上入賞装置４４および右上入賞装置４５のそれぞれの裏側に、前方に光を照射するための左上ＬＥＤ基板４４Ｓおよび右上ＬＥＤ基板４５Ｓが配置されている。上記センター役物４１の後方には、遊技盤上に設置されたＬＥＤランプに接続される盤面ランプ中継端子板２１１が、該センター役物４１の右下部（図７上では左下部）に端部が一部重なるようにして配置されている。さらに、該盤面ランプ中継端子板２１１の後方には、前記左上ＬＥＤ基板４４Ｓおよび右上ＬＥＤ基板４５Ｓを両端部で覆うように横長に延びるサブ制御基板２１２が配置され、該サブ制御基板２１２の右下の隅部（図７上では左下の隅部）にはサブ中継端子板２１３が配置されている。上記サブ制御基板２１２およびサブ中継端子板２１３は、図８に示す概略横長の直方体形状のサブ制御基板ケース２１２Ｃに収容されている。図７に示すように、遊技盤４の裏面において、前記サブ制御基板２１２の左右には、縦長に延びる左側ＬＥＤ基板２１４Ｌおよび右側ＬＥＤ基板２１４Ｒがそれぞれ配置されており、図５に示す遊技領域における左右両側縁にそれぞれ設けられた左側装飾部６１Ｌおよび右側装飾部６１Ｒにおいて前方に光を照射するようになっている。上記遊技盤４の裏面側の下部には、図７に示すように、前記中央入賞装置４６、中下入賞装置４７Ａ、４７Ｂ、右下入賞装置４８Ａ、４８Ｂ、右中入賞装置４９Ａ、４９Ｂ、左下入賞装置５５Ａ、５５Ｂならびに左中入賞装置５６Ａ、５６Ｂのそれぞれの裏側に、前方に光を照射するための中央ＬＥＤ基板４６Ｓ、中下ＬＥＤ基板４７Ｓ、右下ＬＥＤ基板４８Ｓ、右中ＬＥＤ基板４９Ｓ、左下ＬＥＤ基板５５Ｓならびに左中ＬＥＤ基板５６Ｓが配置されている。上記中央ＬＥＤ基板４６Ｓ、中下ＬＥＤ基板４７Ｓおよび右下ＬＥＤ基板４８Ｓのほぼ中間の位置には、盤面中継端子板２１５が配置されている。さらに、該盤面中継端子板２１５の後方には、横長に延びる主制御基板２１６が配置され、該主制御基板２１６の右端（図７上では左端）に隣接して、電源監視基板２１７が配置されている。上記主制御基板２１６および電源監視基板２１７は、図８に示す概略横長の直方体形状の主制御基板ケース２１６Ｃに収容されている。
【００４６】
センター役物４１は、図５および図１０に示すように、上端部を除き正面視概略丸形状であって、遊技領域中央部のやや広い面積を占める最も大型の役物となっており、図１１ないし図１３に示すように、いずれもほぼ対応する概略丸形の外形を有する前側部材４１１、中間部材４１２および後側部材４１３の３つの部材を前側からこの順に重合してなる構造体を有し、この構造体の各部位に可動部材や装飾部材等の多数の部材が取り付けられて構成されている。
【００４７】
図１２および図１３に示すように、上記前側部材４１１は、センター役物４１の前側部を包囲する正面視概略円環状で、前後方向に所定の奥行を有する周壁をなす枠状の部材となっている。上記周壁の上端部は比較的に平坦な周面（それ以外の部位よりも曲率の小さい周面）となっており、前側端縁にはガイドレールが設けられ、遊技球が転動する転動面４１１Ｓを構成している。上記周壁の前側端縁には、全周にわたり不定の間隔をおいて、中央へむけて細長く突出する装飾用の複数の突起４１１Ｐが形成され、これら突起４１１Ｐのうち下端部のいくつかは別体として成形されて上記前側部材４１１の周壁の前側端縁に取り付けられ、それ以外のものは該周壁の前側端縁に一体的に形成されている。上記周壁の後側端縁には、複数箇所に、後方へ円柱状に突出し内部にネジ孔が形成された螺入部４１１Ｒが形成されている。上記前側部材４１１の外周面には、全周にわたって、装飾をなすように不定形に放射状に延出するフランジ４１１Ｆが形成され、該フランジ４１１Ｆに穿設されたネジ挿通孔でセンター役物４１が遊技盤面上にネジにより固定されるようになっている。
【００４８】
上記前側部材４１１のフランジ４１１Ｆは、図１０にも示すように、上端部で最も大きく延出して上端フランジ４１１Ｔを形成している。該上端フランジ４１１Ｔには下端縁中央から上側へ拡がる切欠が形成され、したがって該上端フランジ４１１Ｔは全体として前側部材４１１の周壁の上端部から上方へ概略ループ状に延出する形状となっている。該上端フランジ４１１Ｔの上部中央には入球口が穿設され、図１１および図１３にも示すように、該入球口に対応して、該上端フランジ４１１Ｔの裏側には、正面視Ｕ字状で後方へ延びる溝部４１１Ｇが形成され、該上端フランジ４１１Ｔの表側には、前方に突出し上方が開口していて遊技球を上記入球口に案内する受け部４１１Ｅが設けられており、これにより前記天入賞口４２が構成されている。
【００４９】
上記中間部材４１２は、図１２および図１３に示すように、前記前側部材４１１にほぼ対応する、上端部がやや大きく延出する正面視概略円形の外周形状を有し、中央に円形状の開口４１２Ｓが形成された概略円板状の部材となっている。該中間部材４１２は主として、センター役物４１の外周部を構成する前記前側部材４１１と、センター役物４１の中央部に配置される後述のドラム４１４との間の円環状（ドーナツ状）のスペースを背面側から閉塞する背板として機能する。該中間部材４１２は透明樹脂よりなり、表側面および裏側面のほぼ全面に多数の凹凸が連続的に形成されており、後述するＬＥＤ基板４１５から照射された光を拡散させながら前方に透過させるようになっている。該中間部材４１２の表側面における下部の左右２箇所には、靴を履いた足の形状を模した装飾部材４１６がそれぞれ固定され、該中間部材４１２の右側部、左側部、右上側部および左上側部の４箇所には、左右両手の形をそれぞれ模した左右の可動装飾部材（以下、手形可動装飾部材とも称す）４１７Ｒ、４１７Ｌならびに鉦（チャイム）の形をそれぞれ模した左右の可動装飾部材（以下、鉦形可動装飾部材とも称す）４１８Ｒ、４１８Ｌの４個の可動装飾部材がそれぞれ連結される操作棒４１９Ｒ、４１９Ｌ、４２０Ｒ、４２０Ｌを挿通する長孔４２１がそれぞれ形成されている。該中間部材４１２における上端の延出部は、前記前側部材４１１における上端フランジ４１１Ｔの切欠を通して前方に露出し、この露出部の下端中央には前記中上入賞口４３が形成されている。該中間部材４１２の最上端部（頂部）には、Ｕ字形状の凹部４１２Ｒが形成されており、該凹部４１２Ｒ内に前記前側部材４１１の溝部４１１Ｇが嵌入するようになっている。該中間部材４１２の外周部には、後方に延出する周壁が形成されてセンター役物４１の外周面の一部（中間部）を構成しているとともに、前記前側部材４１１の複数の螺入部４１１Ｒにそれぞれ対応する位置に、該螺入部４１１Ｒを挿通する挿通孔が内部に形成された係止部４２２がそれぞれ形成されている。
【００５０】
上記後側部材４１３は、前記前側部材４１１にほぼ対応する、上端部がやや大きく延出する正面視概略円形の外周形状（即ち前記中間部材４１２とほぼ同様の外周形状）を有する概略円板状の部材であり、ドラム４１４、ＬＥＤ基板４１５等の種々の部品が支持固定される支持部材として機能するとともに、後述するように遊技球をドラム４１４内に導入しかつ該ドラム４１４から排出された遊技球を外部へ案内する機能も有するものとなっている。該後側部材４１３の中央には、ドラム４１４の一部を嵌合させて固定する概略半円形状の嵌合孔４１３Ｓが穿設されている。該嵌合孔４１３Ｓの下方には、後述する球排出部４１３Ｅが形成され、該嵌合孔４１３Ｓの上方には、図１１に示すように、後述する係合片４２３が保持されている。該後側部材４１３の右側部、左側部、右上側部および左上側部の４箇所には、前記中間部材４１２の４つの長孔４２１に対応する長孔４２４がそれぞれ形成されている。該後側部材４１３における前側面の上部中央には、前記中間部材４１２の中上入賞口４３に連通し下方へ延びる球誘導路４１３Ｐが形成されている。該後側部材４１３の最上端部（頂部）には、Ｕ字形状の凹部４１３Ｒが形成されており、該凹部４１３Ｒは前記前側部材４１１の溝部４１１Ｇに連通して、前記天入賞口４２に入球した遊技球を後方に案内するようになっている。該後側部材４１３の前側面には、左右２つの分割体から分割構成され、全体として中央部が概略円形に開口した概略円板状のＬＥＤ基板４１５が支持固定され、該ＬＥＤ基板４１５の前側面には多数のＬＥＤ（図示省略）が搭載されていて前方に光を照射するようになっている。該後側部材４１３の右下部および左下部には、上記ＬＥＤ基板４１５を外部に配線するハーネス（図示省略）を挿通する挿通口４１３Ｄがそれぞれ穿設されている。該後側部材４１３における後側面の右上部および左上部にはそれぞれソレノイド４２５Ｒ、４２５Ｌがそれぞれ配置固定され、該ソレノイド４２５Ｒ、４２５Ｌにより、アームを介して前記操作棒４１９Ｒ、４１９Ｌ、４２０Ｒ、４２０Ｌが前記中間部材４１２および後側部材４１３の長孔４２１、４２４内でそれぞれ往復動するように駆動され、これにより前記手形可動装飾部材４１７Ｒ、４１７Ｌおよび鉦形可動装飾部材４１８Ｒ、４１８Ｌの４個の可動装飾部材が揺動するようになっている。また、前記球誘導路４１３Ｐの途上には、該球誘導路４１３Ｐ内を通過する遊技球を検知する入球センサ４２６が設置され、前記球排出部４１３Ｅの下端部には、該球排出部４１３Ｅから排出される遊技球を検知する排球センサ４２７が設置され、さらに、前記球誘導路４１３Ｐの直上、即ち前記天入賞口４２と中上入賞口４３との間の位置には、遊技球を磁気により不正に入賞口に誘導する不正行為を検知する磁気センサ４３０が設置されている。該後側部材４１３の外周部には、前方に延出する周壁が形成されてセンター役物４１の外周面の一部（後側部）を構成しているとともに、前記前側部材４１１の複数の螺入部４１１Ｒにそれぞれ対応する位置に、ネジ挿通孔が形成されたネジ止め部４２８がそれぞれ形成されており、前側部材４１１、中間部材４１２および後側部材４１３を前側からこの順に重合した状態で、上記ネジ止め部４２８を通して後側からネジを前側部材４１１の螺入部４１１Ｒに螺入することにより、これら３部材が固定されるようになっている。
【００５１】
上記後側部材４１３の裏面側において、ソレノイド４２５Ｒ、４２５Ｌにより操作棒４１９Ｒ、４１９Ｌ、４２０Ｒ、４２０Ｌが駆動される機構の動作スペースは、裏側カバー４２９により覆われるようになっている。該裏側カバー４２９は、上記後側部材４１３の概略円形の正面形状において、中央よりやや下方の高さ位置と上端よりやや下方の高さ位置との間の帯域の形状に対応する、両側縁が円弧状に湾曲した概略台形の正面形状を有し、かつ上記ソレノイド４２５Ｒ、４２５Ｌ、操作棒４１９Ｒ、４１９Ｌ、４２０Ｒ、４２０Ｌ、アームの駆動軸等を含んで構成される駆動機構を包含し得る厚さ（奥行）を有し、前面側が開放されていて上記駆動機構を裏側から覆うカバーとなっている。該裏側カバー４２９の下端面には、前記後側部材４１３の球排出部４１３Ｅに対応する概略直方体状の突出部４２９Ｅが一体的に形成されており、該突出部４２９Ｅが、ドラム４１４から排出された遊技球を外部へ案内する排球通路の後側部を構成している（即ち遊技球の排出口を後側から覆う部材となっている）。該裏側カバー４２９の背面には、前記ＬＥＤ基板４１５およびソレノイド４２５Ｒ、４２５Ｌに接続されるセンターランプ中継端子板４３１Ｈと、入球センサ４２６、排球センサ４２７および磁気センサ４３０に接続されるセンター中継基板４３１Ｌとの２枚の基板が上下に配置されている。該センター中継基板４３１Ｌにはさらに、遊技機を揺らしてセンター役物４１を強制的に作動させる（具体的には後述する回転体４３２を強制的に回転させる）といった不正行為を検知する振動センサ（図示省略）が搭載されている。
【００５２】
上記ドラム４１４は、図１４および図１５に示すように、前面側が開放され、前方から回転体４３２が内部に収容されるように構成された、正面視円形で一定の奥行を有する内槽４１４Ｎを内部に備え、外周部が円筒形の周壁４１４Ｐで覆われた部材となっており、前側の周縁部は時計の文字盤を模した装飾形状を有するように成形されている。上記周壁４１４Ｐの上端部および下端部はそれぞれ、遊技球の案内経路を回避するよう、後側端縁から方形状に切欠いた形状となっている。上記内槽４１４Ｎの背面における中央には、回転体４３２の回転軸を内部に回転自在に支承する円柱状の軸受突起４１４Ｅが後方に突出するように一体的に形成され、該軸受突起４１４Ｅの根幹部（立ち上がり部）には、この部分を上方から覆うようにして、下縁が直線で上縁が円弧状の正面視半円形（扇形）の段状突起４１４Ｓが一体的に形成されている。該段状突起４１４Ｓは前記後側部材４１３の嵌合孔４１３Ｓに対応し、該段状突起４１４Ｓの内部には、内槽４１４Ｎの内奥面から、上側半分の半円状に延びる規制溝（図示省略）が穿設されている。上記内槽４１４Ｎの背面における右上部、左上部および下端部の３箇所には、内部にネジ孔を有し円柱状に突出する螺入部４１４Ｂがそれぞれ形成され、上端よりやや下方の左右２箇所には、上記螺入部４１４Ｂとほぼ同様の構成を有する、前記係合片４２３取付用の螺入部４１４Ｒがそれぞれ形成されている。上記内槽４１４Ｎの上端部には入球口４１４Ｈが穿設されており、上方に位置する前記球誘導路４１３Ｐに連通しているとともに、該入球口４１４Ｈは内槽４１４Ｎの上面から背面にかけて穿設されており、前記係合片４２３の動作スペースを確保するための切欠ともなっている。上記内槽４１４Ｎの下端部には、下面から背面にかけて、排球口４１４Ｌが穿設されている。
【００５３】
上記ドラム４１４は、図１２および図１３に示すように、前記中間部材の開口４１２Ｓに前側から嵌挿され、前記後側部材４１３の嵌合孔４１３Ｓに段状突起４１４Ｓを嵌入するようにして該後側部材４１３の前側面に当接させ、該後側部材４１３の後側から螺入部４１４Ｂにネジを螺入することにより該後側部材４１３に固定される。
【００５４】
上記回転体４３２は、図１４および図１５に示すように、前記ドラム４１４の内槽４１４Ｎの内部形状に対応する円盤状の部材となっており、円板の一方面において、中央に回転軸が連結される円柱状の軸支持部４３２Ａが突設され、該軸支持部４３２Ａに隣接する位置に、該円板面に対し垂直な体勢となるように規制ピン４３２Ｐが支持固定され、該規制ピン４３２Ｐの先端部は前記ドラム４１４の内槽４１４Ｎの規制溝に嵌入して該規制溝内を往復動し、これにより回転体４３２が図中の矢印Ａ１に示すようにほぼ上側半分の半円に相当する角度範囲内でのみ円運動（回転）し得るように規制されるようになっている。なお、該規制溝は半円をなすように（即ち１８０°の範囲にわたって）延びているが、規制ピン４３２Ｐの移動範囲は、該規制ピン４３２Ｐの径のぶんだけ、該規制溝の両端よりも内側寄りの範囲内に制限されて小さくなっており、したがってこの角度範囲は、厳密には１８０°よりも小さい角度範囲（本実施形態では約１５０〜１６０°程度の角度範囲）となっている。円板の外周縁より若干内側には周壁４３２Ｄが形成され、該周壁４３２Ｄ上において、ほぼ対向する位置にある２点すなわち回転体４３２の回転方向において互いに１８０°（厳密には約１７０°程度）離れた２点の位置には、中央にむかって陥入した形状を有し遊技球が収容される球収容部４３２Ｒ、４３２Ｌがそれぞれ形成されている。
【００５５】
上記回転体４３２を構成する円板において、周壁４３２Ｄが形成された面とは反対側の面には、回転体４３２の半分にほぼ等しい半円形状のフリップ４３２Ｆが取り付けられている。該回転体４３２の当該面上の周縁部において、前記球収容部４３２Ｒ、４３２Ｌの形成位置を結ぶ直線に直交する直径上にある２点の位置には、回転体４３２の径方向に延びる軸挿通孔を内部に有する軸支突起４３２Ｂがそれぞれ突設されており、上記フリップ４３２Ｆは、直線状の辺縁（回転体４３２の直径に重なる辺縁）に沿って軸ピン４３２Ｇが挿通され、該軸ピン４３２Ｇの両端が上記軸支突起４３２Ｂにそれぞれ軸支されることにより、回転体４３２に回動自在に保持されている。さらに、上記軸支突起４３２Ｂの両側（回転体４３２の周方向に沿って並ぶ両側）には、該軸支突起４３２Ｂから両側へ離れるにつれ突出高さが漸次大きくなる傾斜を有するスペーサ４３２Ｓがそれぞれ形成されており、上記フリップ４３２Ｆは、該スペーサ４３２Ｓが介在することにより、図１１に示すように回転体４３２の面上から所定の小角度だけ浮き上がった体勢に保持されるようになっている。上記回転体４３２の表面およびフリップ４３２Ｆの両面には、後述するように所定の図柄が表示されている。
【００５６】
上記回転体４３２は、図１１に示すように、前記ドラム４１４の内槽４１４Ｎの内部に（前述の通り１８０°よりやや小さい角度範囲内で）回転自在に保持されている。また、前記後側部材４１３には、該回転体４３２の上端部に対応する位置に、所定の取付部材（図示省略）を介して前記係合片４２３が取り付けられている。該係合片４２３は、左右方向に架設された軸４２３Ａを中心として回動自在に軸支されている。このとき、該係合片４２３において、該軸４２３Ａより前側の部分は後側の部分に比してより長く延出するがより軽量となるように（即ち後側の部分が図１１に示すように側面視三角状に折り返した形状とすることで比較的に重量が大となるように）成形されており、本来は後側部分が重みにより下方に向かうように、前側部分が上方に向かうように傾斜する方向に荷重がかかるが、前記取付部材に一体的に形成された横架部４１３Ｈの上に該係合片４２３の後側部分が支承され、これにより、通常は図１１に示すように前側部分が水平に前方を向くよりもやや下方に傾斜し、該前側部分が前方の回転体４３２の上端部まで（より具体的には球収容部４３２Ｒ、４３２Ｌの内部まで）突き出した体勢（以下、この体勢を係合体勢と称す）に保持されるようになっている。これに対し、後述するように係合片４２３の前側部分の上に上方から遊技球が到達すると、該遊技球の重みにより係合片４２３の前側部分が上記係合体勢にあるときよりも下方に押し下げられる（以下、この体勢を解除体勢と称す）。
【００５７】
以下、上記センター役物４１の動作について、前掲の図５とあわせて図１６および図１７を参照しながら説明する。図１６および図１７は、センター役物４１の一連の動作における主要な段階を順次示す模式図であり、各動作段階におけるセンター役物４１の模式正面図およびその模式縦断面図となっている。同図に示すセンター役物４１は前記図１０ないし図１５に示す実施形態のものと同一のものであるが、明確化のため、各動作段階に関連する部分のみを簡略化して示してある。
【００５８】
（１）図５に示す遊技領域において、センター役物４１の上方に飛来する遊技球のうち、大多数は転動面４１１Ｓ上を左右方向に転動してその一方端から転落し、センター役物４１の右下方または左下方へと流下していくが、少数の遊技球は、天入賞口４２に入賞して所定の遊技球の払い出しが行われることとなるか、あるいは転動面４１１Ｓ上を転動する途上でうまく中上入賞口４３に入球することとなる。
【００５９】
（２）中上入賞口４３に入球した遊技球は、図１６（ａ）に示すように、球誘導路４１３Ｐ内を通り、その途上で入球センサ４２６により入球を検知されながら下方へ落下し、該球誘導路４１３Ｐの下端に連通するドラム４１４の内槽４１４Ｎの入球口４１４Ｈ（受球位置）に入球する。上記入球センサ４２６で中上入賞口４３への入球が検出されると、前記ＬＥＤ基板４１５からの光の照射、前記可動装飾部材４１７Ｒ、４１７Ｌ、４１８Ｒ、４１８Ｌの稼働、前記音出力口２４からの音の出力またはこれらの組み合わせから構成される所定の興趣演出が開始される。上記入球口４１４Ｈから内槽４１４Ｎ内に入った遊技球は、前述の通り係合片４２３の前側部分を押し下げ該係合片４２３を解除体勢としながら、回転体４３２の球収容部４３２Ｒ内に収容される。
【００６０】
（３）回転体４３２の球収容部４３２Ｒ内に遊技球が収容されると、図１６（ａ）中の矢印Ａ２に示すように、遊技球Ｍ１の重みにより回転体４３２を右回り（時計回り）に回転させるように力が働く。この状態では、係合片４２３は解除体勢にあって回転体４３２の回転を規制していないが、一方の球収容部４３２Ｒが同図に示すように上端に位置するとき、前記規制ピン４３２Ｐが規制溝４１４Ｇの左端に位置するようになっており、これにより回転体４３２の左回り（反時計回り）方向の回転は規制されている。また、このように回転体４３２が最大限に左回り方向に回転した位置にあるときに、上記球収容部４３２Ｒは、同図に示すようにその底部がやや右寄りに偏って位置するように形成され、さらに、該球収容部４３２Ｒの右側の内壁は平面状であるが左側の内壁は正面視円弧状の湾曲面状に成形されており、これにより、遊技球Ｍ１が右寄りに案内されやすいようになっている。したがって、回転体４３２は、球収容部４３２Ｒ内に遊技球Ｍ１を受容すると、矢印Ａ２に示すように右回り（時計回り）方向に回転する。
なおこの時点では、フリップ４３２Ｆは自重により垂下されて一方面が前方に露出するとともに他方面が裏側に隠蔽された体勢にあり、回転体４３２の表面のうちの一方の半分（下側の半分）がフリップ４３２Ｆに覆われて隠蔽されるとともに他方の半分（上側の半分）が前方に露出した体勢となっており、これらフリップ４３２Ｆの露出面と回転体４３２の表面の露出部分とが、あわせて一つの円形の可視領域を構成しており、この可視領域に、特定の内容を表す一つの図柄（以下、この図柄を便宜的に「夜間型図柄」と称す）が表示されるようになっている（図示省略）。
【００６１】
（４）回転体４３２が右回り（時計回り）方向に回転する途上で、図１６（ｂ）に示すようにフリップ４３２Ｆの固定端である直線状の辺縁（軸ピン４３２Ｇが挿通されて回転体４３２に軸支された辺縁；以下、軸支端縁と称す）４３２Ｘが鉛直となる位置を右回り（時計回り）方向に超過すると、図中の矢印Ａ３に示すように該フリップ４３２Ｆが自重により右下方向に落下するように反転して裏返る。このとき、該フリップ４３２Ｆは前述の通りスペーサ４３２Ｓにより回転体４３２の面上から所定の小角度だけ浮き上がった体勢に保持されているので、上記のような落下動作がより容易かつ確実になされるようになっており、また、この落下動作は、回転体４３２が引き続き右回り（時計回り）方向に回転する運動をさらに付勢する作用も奏する。また、フリップ４３２Ｆが上記のように反転すると、該フリップ４３２Ｆおよび回転体４３２の表面における露出部分と隠蔽部分とも反転して、別の可視領域が現れ、前記夜間型図柄と異なる（対照的な）内容を表す特定の一つの図柄（以下、この図柄を便宜的に「昼間型図柄」と称す）が表示されるようになっている（図示省略）。
【００６２】
（５）回転体４３２がさらに右回り（時計回り）方向に回転して、図１７（ｃ）に示すように遊技球Ｍ１を収容した球収容部４３２Ｒが内槽４１４Ｎの排球口４１４Ｌに連通する位置（排球位置）まで到達すると、遊技球Ｍ１が球収容部４３２Ｒから下方に落下して、排球口４１４Ｌから排出される。
このとき、排球口４１４Ｌの直下には、該排球口４１４Ｌの開口面積および形状に対応する寸法および概略横長の箱体状の外形を有する、前記後側部材４１３の球排出部４１３Ｅが位置し、該排球口４１４Ｌに連通している。該球排出部４１３Ｅは、中央に方形状の隔壁４１３Ｔが形成されて内部が左右に２つの室すなわち左室Ｃ１および右室Ｃ２に仕切られた構成となっており、該左室Ｃ１および右室Ｃ２の各室中央には、後方にむけて下傾する上端縁を有する台形状の案内リブＧ１、Ｇ２がそれぞれ立設されている。遊技球Ｍ１は、排球口４１４Ｌに到達した後、図中の矢印Ａ４に示すように右側の案内リブＧ２の上端縁に沿って後下方に誘導されつつ、該排球口４１４Ｌから排出されていく。この間、同図に示すように遊技球Ｍ１は、該案内リブＧ２上を移動することにより、回転体４３２と排球口４１４Ｌとを跨ぐ体勢に保持されつつ排出されていく。換言すれば、案内リブＧ２の上端縁は、遊技球Ｍ１を回転体４３２と排球口４１４Ｌとに跨がるような高さ位置の範囲内に保持しつつ後下方に誘導し得るような高さおよび勾配を有するように形成されている。
本実施形態では、上記案内リブＧ２は、隔壁４１３Ｔの右側面から右方に距離ｄ１＝約６．５ｍｍだけ移動した位置、即ち上方の球収容部４３２Ｒから出てきた遊技球Ｍ１をそのほぼ中央で下方から支承し得る位置に形成され、前後方向の幅ｗ１＝約１５ｍｍ、後側端縁の高さｈ１＝約１１ｍｍ、前側端縁の高さｈ２＝約５ｍｍとなっており、図１７（ｃ）に示すように、上方からきた遊技球Ｍ１を受けた時点で、該遊技球Ｍ１をその中心Ｏの高さ位置が回転体４３２の下端の高さ位置にほぼ等しくなるような高さ位置で下方から支承し得るような高さ位置に形成されている。
【００６３】
上記のように球収容部４３２Ｒが排球位置、具体的には球排出部４１３Ｅの右室Ｃ２の上方に位置するとき、前記規制ピン４３２Ｐが規制溝４１４Ｇの右端に位置するようになっており、これにより、球収容部４３２Ｒが遊技球Ｍ１を収容したまま排球位置を超過して回転しないよう、回転体４３２の右回り（時計回り）方向の回転は規制される。したがって、このときの位置は回転体４３２が最大限に右回り方向に回転した位置すなわち右回り方向の限界位置であるが、これまで回転体４３２は上述の通り遊技球Ｍ１の重みにより回転運動をしてきているので、この限界位置で反発力が生じ、これまでとは逆の方向すなわち左回り（反時計回り）方向に戻るように弾む（バウンドする）挙動をとろうとする。もしこのようなバウンド動作がなされると、上記球収容部４３２Ｒが上端部の入球口４１４Ｈすなわち受球位置にまで戻ってしまい、後述するようなもう一方の球収容部４３２Ｌによる遊技球の案内（受け渡し）動作へと正しく移行されなくなる惧れもあるが、ここで、上記のように遊技球Ｍ１が回転体４３２と排球口４１４Ｌとを跨ぐ体勢に保持されつつ排出されることにより、回転体４３２が遊技球Ｍ１によりロックされて排球位置に保持され、バウンド動作が抑止される。即ち、遊技球Ｍ１が回転体４３２と排球口４１４Ｌとを跨ぐ体勢にあると、回転体４３２が左回り（反時計回り）方向にバウンドしようとしても、遊技球Ｍ１が排球口４１４Ｌに拘束された（引っかかった）体勢となっていて左回り（反時計回り）方向には動き得ず、このため回転体４３２の左回り（反時計回り）方向への動きも遊技球Ｍ１に阻止される。換言すれば、遊技球Ｍ１が、回転体４３２と排球口４１４Ｌとを跨ぐように位置して該回転体４３２を排球位置にロックする「かんぬき」のように機能するのである。
【００６４】
（６）案内リブＧ２の上端縁に沿って後下方に誘導された遊技球Ｍ１は、図１７（ｄ）に示すように、後方で前記裏側カバー４２９の突出部４２９Ｅの内面に行当って下方へ案内され、排球センサ４２７により検知されながら、センター役物４１から下方へ排出されていく。裏側カバー４２９の突出部４２９Ｅは、左右に長く延びる直方体状の内部空間が中央の隔壁により左右に２つの区画すなわち左区画４２９Ｌおよび右区画４２９Ｒに分割され、これら左区画４２９Ｌおよび右区画４２９Ｒはそれぞれ前記排出部４１３Ｅの左室Ｃ１および右室Ｃ２に連通して、左側通路および右側通路の２通路から構成される排球通路の後側部を構成している。該左区画４２９Ｌおよび右区画４２９Ｒの各区画の内部における後上の隅部には、後下方へ下傾する下端縁を有するガイドリブ４２９Ｇがそれぞれ突設されており、遊技球を下方へ案内するようになっている。また、排球センサ４２７は、上記突出部４２９Ｅの左区画４２９Ｌおよび右区画４２９Ｒの直下にそれぞれ検出部４２７Ｌ、４２７Ｒを備え、遊技球が左側通路および右側通路のいずれから排出されたかが検知され、この結果に応じた興趣演出がなされる構成となっている。
【００６５】
遊技球Ｍ１が排球口４１４Ｌから排出され、回転体４３２から完全に離脱すると、該遊技球Ｍ１による回転体４３２の回転の規制すなわち「かんぬき」様の機能も解除されるが、これよりも以前に、即ち該遊技球Ｍ１が回転体４３２から完全に離脱しておらず回転体４３２が排球位置にロックされているうちに、前記係合片４２３が係合体勢に復帰して、その前側部分が前方の回転体４３２の上端部まで突き出し、今度はかわって上端に位置するもう一方の球収容部４３２Ｌの内壁に係合し、これにより回転体４３２が引き続き排球位置にロックされる。係合片４２３は、前述の通り遊技球Ｍ１の通過によって解除体勢となった後、回転体４３２が回転している間はその回転運動を規制しないが、回転体４３２が最大限にまで回転して遊技球Ｍ１を収容した球収容部４３２Ｒが排球位置に達すると、これにともなってもう一方の球収容部４３２Ｌが上端部に達し、該球収容部４３２Ｌの内部空間により係合片４２３の前方に動作スペースが再び確保されて係合体勢に復帰する動作が可能となる。ただし、この係合片４２３の復帰動作は、前記回転体４３２が右回り方向の限界位置に達した時点よりも若干遅れて開始されるため、回転体４３２が右回り方向の限界位置に達すると、当初は前述の通り遊技球Ｍ１が回転体４３２の回転を規制するように機能し、この遊技球Ｍ１によるロック機能が解除されるよりもやや早く、このロック機能を引き継ぐような形で、該係合片４２３が回転体４３２を引き続き排球位置にロックするように機能する。
【００６６】
（７）上述の通り、遊技球Ｍ１が回転体４３２の球収容部４３２Ｒ内に収容され、ドラム４１４の内槽４１４Ｎにおける内周面の右側半分に沿って上端から下端部まで案内され、右側通路から排出されると、後述する導球路により、遊技盤４の裏側においてさらに下方に案内される。該導球路は、上記センター役物４１の右側通路に連通して下方に延びる右側導球路ＬＧ１と、センター役物４１の左側通路に連通して下方に延びる左側導球路ＬＧ２とを左右に並置するようにして構成されている（図２５および図２６参照）。
【００６７】
上記導球路の途上には、後にもより詳細に説明するが、図８に示すように、右リンク機構Ｌ１が配置され、該右リンク機構Ｌ１の下方には下リンク機構Ｌ２が配置され、さらに上記右リンク機構Ｌ１の左方（図８上では右方）には左リンク機構Ｌ３が配置されている。上記右リンク機構Ｌ１においては、図１８（ａ）に示すように、右側導球路ＬＧ１に案内されて上方から流下してきた遊技球Ｍ１は、第１アームＲ１の先端に載って自重により該第１アームＲ１を押し下げ、該第１アームＲ１はリンク機構により第２アームＲ２を介して第３アームＲ３の先端を押し下げ、該第３アームＲ３の先端は前記中央入賞装置４６の可動翼（チューリップ）４６Ｔを開放するように駆動する。またこのとき、図１９（ａ）および（ｂ）に示すように、上記第３アームＲ３には第４アームＲ４を介して第５アームＲ５が連結されており、該第５アームＲ５が、上記第３アームＲ３と連動して、前記下段側右中入賞装置４９Ｂの可動翼（チューリップ）４９Ｔを開放するように駆動する。
【００６８】
上記遊技球Ｍ１は、第１アームＲ１を押し下げた後、該第１アームＲ１の先端から落下して、下方に設置された下リンク機構Ｌ２に案内される。上記下リンク機構Ｌ２においては、図２０（ａ）に示すように、遊技球Ｍ１は、前記右リンク機構Ｌ１における第１ないし第３アームＲ１〜Ｒ３の場合と同様に、第６アームＲ６の先端に載って自重により該第６アームＲ６を押し下げ、該第６アームＲ６はリンク機構により第７アームＲ７を介して第８アームＲ８の先端を押し下げ、該第８アームＲ８の先端は前記下段側左下入賞装置５５Ｂの可動翼（チューリップ）５５Ｔを開放するように駆動する。またこのとき、図２１（ａ）および（ｂ）に示すように、上記第８アームＲ８には第９アームＲ９を介して第１０アームＲ１０が連結されており、該第１０アームＲ１０が、上記第８アームＲ８と連動して、前記下段側中下入賞装置４７Ｂの可動翼（チューリップ）４７Ｔを開放するように駆動する。さらにまたこのとき、図２２（ａ）および（ｂ）に示すように、上記第９アームＲ９には第１０アームＲ１０とともに第１１アームＲ１１が連結されており（即ち、第９アームＲ９は左右に延びるように架設され、左端には第８アームＲ８が、中央には第１０アームＲ１０が、右端には第１１アームＲ１１がそれぞれ連結されている）、該第１１アームＲ１１が、上記第８アームＲ８と連動して、前記下段側右下入賞装置４８Ｂの可動翼（チューリップ）４８Ｔを開放するように駆動する。上記のように駆動した後の右リンク機構Ｌ１および下リンク機構Ｌ２は、錘（図示せず）により、それぞれ駆動する前の体勢に復帰するようになっており、また、開放した状態の５対の可動翼（チューリップ）４６Ｔ、４９Ｔ、５５Ｔ、４７Ｔ、４８Ｔは、この後遊技領域においてそれぞれ遊技球が入球することにより閉じるようになっている。
【００６９】
上記のように、遊技球Ｍ１が右側導球路ＬＧ１により下方に案内されて右リンク機構Ｌ１を通過すると、該右リンク機構Ｌ１を駆動して前記中央入賞装置４６および下段側右中入賞装置４９Ｂのそれぞれの可動翼（チューリップ）４６Ｔ、４９Ｔを同時に開放し、この後、下リンク機構Ｌ２を通過すると、該下リンク機構Ｌ２を駆動して前記下段側左下入賞装置５５Ｂ、下段側中下入賞装置４７Ｂおよび下段側右下入賞装置４８Ｂのそれぞれの可動翼（チューリップ）５５Ｔ、４７Ｔ、４８Ｔを同時に開放する。このとき、パチンコ機１０は、上記５つの入賞装置が入賞可能となり、遊技領域内において遊技球が比較的に入賞しやすい状態となる（以下、この状態を「昼間型遊技状態」と称す）。この昼間型遊技状態となる以前は、遊技者は、主として、該昼間型遊技状態への移行を期して中上入賞口４３に狙いをおき、これと同時に、遊技球の払い出しを期して天入賞口４２に狙いをおいて遊技を行う、即ちセンター役物４１の上端部に重点的に狙いをおくと考えられるが、昼間型遊技状態へ移行した後は、可動翼（チューリップ）４６Ｔ、４９Ｔ、５５Ｔ、４７Ｔ、４８Ｔが開放されて入賞可能となった上記中央入賞装置４６、下段側中下入賞装置４７Ｂ、下段側右下入賞装置４８Ｂ、下段側右中入賞装置４９Ｂならびに下段側左下入賞装置５５Ｂの５つの入賞装置を重点的に狙うようになると考えられる。
【００７０】
上記昼間型遊技状態で入賞可能とされる５つの入賞装置には、いずれも前記したように前面に「太陽」を模した装飾が統一して施されており、一方、この時点では前記センター役物４１における回転体４３２の前面には昼間型図柄が表示されているが、該昼間型図柄は「太陽」と関連する内容の図柄となっており、したがって、該昼間型図柄は、演出効果とともに、昼間型遊技状態にあることを遊技者に報知する機能も奏するものとなっている。
【００７１】
（８）上記昼間型遊技状態にあるときに、別の遊技球が中上入賞口４３に入球すると、図示省略するが、該遊技球は、前記と全く同様に、球誘導路４１３Ｐ内を通って下方へ落下し、ドラム４１４の内槽４１４Ｎの入球口４１４Ｈ（受球位置）に入球して、係合片４２３を解除体勢としながら、回転体４３２のもう一方の球収容部４３２Ｌ内に収容される。このとき、回転体４３２の上端部に位置する該球収容部４３２Ｌは、下端部の排球位置に位置する前記球収容部４３２Ｒと左右対称をなすように形成されている。即ち、両球収容部４３２Ｒ、４３２Ｌは前記フリップ４３２Ｆの軸支端縁４３２Ｘに関して線対称となるように形成されている。したがって、昼間型遊技状態で上記球収容部４３２Ｌ内に収容された遊技球は、前述のように遊技球Ｍ１がドラム４１４内で右側を通るように案内される場合とは左右対称の軌道を描くようにして、即ち、ドラム４１４の内槽４１４Ｎにおける内周面の左側半分に沿って上端から下端部まで案内される。この途上で、前記フリップ４３２Ｆが再び反転して、前記夜間型図柄が表示される。
【００７２】
下端部まで案内された遊技球は、球排出部４１３Ｅの左室Ｃ１の上方に到達し、前記と全く同様に、左側の案内リブＧ１の上端縁に沿って後下方に誘導されつつ、排球口４１４Ｌから排出されていく。上記案内リブＧ１を含め、左室Ｃ１は前記右室Ｃ２と左右対称に構成されており、遊技球は、前記右側の場合と全く同様に、該案内リブＧ１上を移動することにより、回転体４３２と排球口４１４Ｌとを跨ぐ体勢に保持されつつ排出されていく。このとき、前記規制ピン４３２Ｐは規制溝４１４Ｇの左端に位置して回転体４３２の左回り（反時計回り）方向の回転は規制され、回転体４３２は左回り方向の限界位置にあるが、前記右側の場合と全く同様に、遊技球が回転体４３２と排球口４１４Ｌとを跨ぐ体勢に保持されつつ排出されることにより、回転体４３２が遊技球によりロックされて排球位置に保持され、バウンド動作が抑止される。
【００７３】
左側の案内リブＧ１の上端縁に沿って後下方に誘導された遊技球は、後方で前記裏側カバー４２９の突出部４２９Ｅにおける左区画４２９Ｌの内面に行当って下方へ案内され、排球センサ４２７の左側の検出部４２７Ｌにより検知されながら、センター役物４１から下方へ排出されていく。また一方で、係合片４２３が前記と全く同様にして係合体勢に復帰し、この時点で上端に復帰している前記球収容部４３２Ｒの内壁に係合し、これにより回転体４３２が引き続き排球位置にロックされる。即ち、回転体４３２および係合片４２３は、前述のように遊技球Ｍ１が中上入賞口４３に入球して昼間型遊技状態に移行するより以前の状態に復帰してこの状態に保持される。
【００７４】
（９）遊技球が上述のようにドラム４１４内で左側を通るように案内され、左側通路から排出されると、前記左側導球路ＬＧ２内を流下し、下方に配置された前記左リンク機構Ｌ３に案内される。上記左リンク機構Ｌ３においては、図２３（ａ）に示すように、左側導球路ＬＧ２に案内されて上方から流下してきた遊技球Ｍ１１は、第１２アームＲ１２の先端に載って自重により該第１２アームＲ１２を押し下げ、該第１２アームＲ１２はリンク機構により第１３アームＲ１３を介して第１４アームＲ１４の先端を押し下げ、該第１４アームＲ１４の先端は前記下段側左中入賞装置５６Ｂの可動翼（チューリップ）５６Ｔを開放するように駆動する。
【００７５】
このとき、前記５対の可動翼（チューリップ）４６Ｔ、４９Ｔ、５５Ｔ、４７Ｔ、４８Ｔが開いていてこれら可動翼を備える５つの入賞装置がいずれも入賞可能な状態にある場合、これに加えて上記下段側左中入賞装置５６Ｂの可動翼（チューリップ）５６Ｔが開放されて計６つの入賞装置がいずれも入賞可能な状態となり、したがって遊技領域内において遊技球が最も入賞しやすい状態となるとも考えられるが、このような場合は稀であり、多くの場合、上記下段側左中入賞装置５６Ｂが入賞可能となるより以前に、前記５対の可動翼（チューリップ）４６Ｔ、４９Ｔ、５５Ｔ、４７Ｔ、４８Ｔを備える５つの入賞装置のうちの少なくとも１つ（１つないし５つ）はすでに遊技球の入賞により可動翼が閉じて入賞不能な状態に復帰している蓋然性が高いと考えられる。よって、上記下段側左中入賞装置５６Ｂが入賞可能となると、上記６対の可動翼（チューリップ）を備える６つの入賞装置のうち、最大で計６つ、多くの場合は５つ以下の入賞装置が入賞可能となり、パチンコ機１０は、遊技領域内において遊技球が前記昼間型遊技状態よりも入賞しやすい状態、前記昼間型遊技状態と同程度に入賞しやすい状態ならびに前記昼間型遊技状態に次いで入賞しやすい状態のいずれの状態ともなり得るが、いずれの場合であれ、上記６つの入賞装置のうち入賞可能となっているものの組み合わせは異なる状態となる（以下、この状態を「夜間型遊技状態」と称す）。
【００７６】
上記夜間型遊技状態に移行した後、遊技者は、上記６つの入賞装置のうち多数が入賞可能となっている場合には、引き続きこれら入賞可能な入賞装置を狙うものと考えられるが、入賞可能な入賞装置が残り少なくなっていくにつれ、再び遊技状態を昼間型遊技状態へ移行させて上記６つの入賞装置のうち（下段側左中入賞装置５６Ｂ以外の）５つの入賞装置をいずれも入賞可能とすることを期して、中上入賞口４３を中心としてセンター役物４１の上端部に狙いの重点を戻していくと考えられる。
【００７７】
上記夜間型遊技状態で開放される下段側左中入賞装置５６Ｂには、前記したように前面に「星」を模した装飾が施されており、一方、この時点では前記センター役物４１における回転体４３２の前面には夜間型図柄が表示されているが、該夜間型図柄は「星」と関連する内容の図柄となっており、したがって、該夜間型図柄は、演出効果とともに、夜間型遊技状態にあることを遊技者に報知する機能も奏するものとなっている。
【００７８】
以上の通り、センター役物４１は、中上入賞口４３に入球した遊技球を、右下方向と左下方向とに交互に案内するように機能し、この案内方向に応じて、「太陽」の装飾を有する５つの入賞装置に連結されたリンク機構すなわち右リンク機構Ｌ１および下リンク機構Ｌ２と、「星」の装飾を有する下段側左中入賞装置５６Ｂに連結されたリンク機構すなわち左リンク機構Ｌ３とが交互に駆動されることで、遊技状態が昼間型遊技状態と夜間型遊技状態とに交互に入れ替わるように移行するようになっている。ここで、もし、例えば昼間型遊技状態への移行がなされてから、次の中上入賞口４３への入球ではなく回転体４３２のバウンド動作や不正に加えられた振動等によって回転体４３２が元の位置（左右回り方向の限界位置）に戻ったりすると、次に中上入賞口４３に遊技球が入球しても、遊技球が前回の入球の場合と同じく右下方向に繰り返して案内されるため、昼間型遊技状態から夜間型遊技状態への移行はなされず、昼間型遊技状態が更新されて再び５つの入賞装置がいずれも入賞可能となり、したがって遊技者にとってより有利な遊技状態が不適正に継続することとなる。ところが、前述の通り、上記センター役物４１においては、遊技球が回転体４３２と排球口４１４Ｌとを跨ぐ体勢に保持されつつ排出されること、ならびに係合片４２３が球収容部４３２Ｌに係合することにより、回転体４３２が確実に排球位置にロックされるようになっているので、バウンド動作は抑止され、また不正に振動が加えられたりしても回転体４３２は回転せず、次に中上入賞口４３に遊技球が入球するまでは元の位置に戻ることはない。したがって、昼間型遊技状態と夜間型遊技状態との間の移行が中上入賞口４３への入球に応じて適正になされるようになっている。
【００７９】
上記構成によれば、所定の受球位置すなわちドラム４１４の内槽４１４Ｎの入球口４１４Ｈで遊技球を受容し、該受球位置から所定距離をおいた（約１５０〜１６０°程度の角度だけ離れた）排球位置まで該遊技球を移動させて、該排球位置に形成された排出口すなわち排球口４１４Ｌに該遊技球を排出するように動作する可動体すなわち回転体４３２を備えるセンター役物４１が遊技領域に配置された構成において、上記遊技球が上記排球位置にきたときに、該遊技球を上記回転体４３２と上記排球口４１４Ｌとを跨ぐ体勢に保持しつつ排出するように誘導する球進路誘導手段として案内リブＧ１、Ｇ２が設けられている構成としたので、回転体４３２が排球位置まで移動してきてバウンドしようとした場合でも、遊技球が排出される際に遊技球が回転体４３２と排球口４１４Ｌとを跨ぐ体勢に保持されることで、該回転体４３２が遊技球によりロックされて排球位置に保持され、バウンド動作が抑止されるようになっている。即ち、遊技球が、回転体４３２と排球口４１４Ｌとを跨ぐように位置して該回転体４３２を排球位置にロックする「かんぬき」のように機能するようになっている。このように遊技球自体に回転体４３２の動きを抑止するように機能させながら該遊技球を排出する構成となっていることで、回転体４３２の動きを抑止するための機構を別に必要とすることなく、案内リブＧ１、Ｇ２を設けるだけの簡略な構成によって回転体４３２に所望の動作を容易かつ確実に行わせることが可能なセンター役物４１となっている。
【００８０】
また、球進路誘導手段の構成としては、球進路誘導手段が、上記回転体４３２から漸次遠ざかる勾配を有する傾斜に沿って遊技球を誘導する案内リブＧ１、Ｇ２となっているので、勾配を適宜な程度に設定することで、遊技球を上記回転体４３２と上記排球口４１４Ｌとを跨ぐ体勢に保持しつつ排出するように誘導する球進路誘導手段が構成されており、したがって、上記傾斜を有する構造物だけで球進路誘導手段が構成されているため球進路誘導手段の構成がより簡略化されているとともに、劣化等も比較的に少ない球進路誘導手段となっている。
【００８１】
また、上述の通り、遊技球が上記排球位置にきたときは回転体４３２が遊技球によりロックされて排球位置に保持されるようになっているが、これとあわせて、遊技球が上記排球位置にきたときに上記回転体４３２に係合して該回転体４３２を当該位置にロックし、該回転体４３２が別の遊技球を受容すると上記回転体４３２から離脱してロックを解除する係合手段として係合片４２３をさらに備えるので、該遊技球が排出された後も、別の遊技球を受容するまでの間、回転体４３２の動きを抑止しておくことができるようになっている。
【００８２】
また、上記受球位置すなわち入球口４１４Ｈが排球位置すなわち排球口４１４Ｌよりも上方に位置し、回転体４３２が遊技球の重さにより該受球位置から排球位置まで移動する構成となっているので、遊技球の重さを利用して回転体４３２を動作させることで、回転体４３２を動作させるための動力源や該動力源による動力を伝達する機構は省略されており、そのぶん回転体４３２がより簡略に構成されている。
【００８３】
また、上記可動体が、軸回りに回動することにより受球位置と排球位置との間を移動する回転体４３２となっており、受球位置において回動方向側に重心が偏った体勢で遊技球を受容する遊技球保持部すなわち球収容部４３２Ｒ、４３２Ｌを有するので、遊技球の重さが回動方向側にかかって可動体が回動方向側に確実かつ容易に動作するものとなっている。
【００８４】
また、上記球収容部４３２Ｒ、４３２Ｌが、回動軸へむけて陥入する凹形状を有し、その内壁が、回動方向側と反対側から該回動方向側へかけて湾曲面状に延びる形状となっているので、湾曲面状に延びる内壁に沿って遊技球が回動方向側へ案内され、これにより可動体が回動方向側により確実かつ容易に動作することができるようになっている。
【００８５】
また、一方端（軸支端縁４３２Ｘ）が上記回転体４３２に回動自在に軸支され、他方端が受球位置から排球位置へ落下し得る揺動体すなわちフリップ４３２Ｆを備えるので、遊技球の重さを利用して回転体４３２を動作させるのに加えて、フリップ４３２Ｆの自由端が落下する動作を利用することで、該回転体４３２をより効果的に動作させることができるようになっている。
【００８６】
また、上記フリップ４３２Ｆを回転体４３２に対し所定の角度をなす体勢に保持するスペーサ４３２Ｓを備えるので、該フリップ４３２Ｆが回転体４３２に対し所定の角度をなす体勢、即ち、回転体４３２に重合する体勢ではなく回転体４３２から所定の角度だけ離間した体勢に保持されることで、該フリップ４３２Ｆの自由端がより容易かつ確実に落下することができるようになっている。
【００８７】
また、上記センター役物４１が、遊技球を外部に排出する毎に、複数の異なる外部排出位置すなわち右側導球路ＬＧ１および左側導球路ＬＧ２に交互に振り分けるようにして排出する構成を有し、遊技球が上記複数の外部排出位置のうちのいずれから排出されたかに応じて、遊技者にとっての有利さの度合いが異なる複数の遊技状態すなわち昼間型遊技状態および夜間型遊技状態の２種類の遊技状態に交互に移行するように構成されている。ここで、例えばセンター役物４１の回転体４３２にバウンド動作が生じると、回転体４３２が所定の動作すなわち一方向の回転動作を行った後にバウンドにより動作前の位置まで戻ってしまい、その結果、上記振り分けが秩序どおりに機能せず遊技状態が正しく移行しなくなって、遊技者にとって相対的に有利あるいは不利な、昼間型遊技状態および夜間型遊技状態のうちのいずれかの遊技状態が不適正に継続するといった事態を生じることがある。ところが、上記パチンコ機１０においては、前述の通りセンター役物４１において回転体４３２のバウンド動作が確実に抑止される構成となっているので、回転体４３２が所定の動作を行った後に動作前の位置まで戻ることがなく上記振り分けが秩序どおりに機能し、したがって遊技状態が昼間型遊技状態と夜間型遊技状態との間で適正に交互に移行するようになっている。
【００８８】
（特徴構成）
遊技盤４の裏側には、前述の通り、右リンク機構Ｌ１、下リンク機構Ｌ２ならびに左リンク機構Ｌ３が配置されているが、これらリンク機構Ｌ１〜Ｌ３は、図２４ないし図２６に示すように、リンクユニットＬＵ１としてユニット化されて配置されている。
【００８９】
リンクユニットＬＵ１は、図２４に示すように、遊技盤４の裏側に、集合板ＢＣ１を介して配置され、全体として正面視概略横長の長方形状であって上端縁が部分的に上方に延出した外形を有する平板状の透明樹脂よりなるリンクケースＬＣ１内に、リンク機構Ｌ１〜Ｌ３が配設されるとともに後述の導球路ＬＧ１、ＬＧ２が形成され、所定箇所に第１入賞センサＰＳ１ないし第８入賞センサＰＳ８が配置された構成となっている。
【００９０】
集合板ＢＣ１は、図９および図２４に示すように、遊技盤４の裏面の上部を除く大部分を覆う概略矩形の平板状の透明樹脂よりなる部材となっており、図２７および図２８に示すように、前面側には後述する球通路が形成されるとともに、前記左上ＬＥＤ基板４４Ｓ、右上ＬＥＤ基板４５Ｓ、左側ＬＥＤ基板２１４Ｌ、右側ＬＥＤ基板２１４Ｒ、中央ＬＥＤ基板４６Ｓ、中下ＬＥＤ基板４７Ｓ、右下ＬＥＤ基板４８Ｓ、右中ＬＥＤ基板４９Ｓ、左下ＬＥＤ基板５５Ｓならびに左中ＬＥＤ基板５６Ｓが配置され、裏面側には前記盤面ランプ中継端子板２１１が配置されて、これら基板を支持する基材としても機能するものとなっている。
【００９１】
集合板ＢＣ１の上部中央には、概略部分円形状の役物挿通口ＢＣ４１が穿設されており、集合板ＢＣ１が、図９に示すように該役物挿通口ＢＣ４１内を通して前記センター役物４１を後方に突出させた状態で遊技盤４の裏面に配置されるようになっている。集合板ＢＣ１の裏面側において、該役物挿通口ＢＣ４１の右下には、図２７に示すように、正面視横長の長方形状をなして後方へ延出する周壁で包囲された中継端子板収容部ＢＣ２１１が形成されており、該中継端子板収容部ＢＣ２１１内に前記盤面ランプ中継端子板２１１が嵌装され固定されるようになっている。また、集合板ＢＣ１の前面側には、図２８に示すように、前記左上ＬＥＤ基板４４Ｓ、右上ＬＥＤ基板４５Ｓ、左側ＬＥＤ基板２１４Ｌ、右側ＬＥＤ基板２１４Ｒ、中央ＬＥＤ基板４６Ｓ、中下ＬＥＤ基板４７Ｓ、右下ＬＥＤ基板４８Ｓ、右中ＬＥＤ基板４９Ｓ、左下ＬＥＤ基板５５Ｓならびに左中ＬＥＤ基板５６Ｓのそれぞれに対応する形状の基板収容部が形成されており、各基板収容部内にそれぞれ上記各基板が嵌装され固定されるようになっている。
【００９２】
上記左上ＬＥＤ基板４４Ｓ、右上ＬＥＤ基板４５Ｓ、左側ＬＥＤ基板２１４Ｌ、右側ＬＥＤ基板２１４Ｒ、中央ＬＥＤ基板４６Ｓ、中下ＬＥＤ基板４７Ｓ、右下ＬＥＤ基板４８Ｓ、右中ＬＥＤ基板４９Ｓ、左下ＬＥＤ基板５５Ｓならびに左中ＬＥＤ基板５６Ｓは、ハーネス（図示せず）により上記盤面ランプ中継端子板２１１に接続され、該盤面ランプ中継端子板２１１はハーネス（図示せず）により前記サブ制御基板２１２に接続される。これにより、集合板ＢＣ１は、サブ制御基板２１２により制御される上記各ＬＥＤ基板をまとめて搭載するとともに、各ＬＥＤ基板の配線を盤面ランプ中継端子板２１１により中継して一括的にサブ制御基板２１２に接続する電気的ユニットとしても機能するものとなっている。
【００９３】
集合板ＢＣ１の前面側には、図２８に示すように、該役物挿通口ＢＣ４１の上端の位置から右側を通って下方へ延びる天球通路ＢＣ４２が形成され、該天球通路ＢＣ４２は、上端が前記センター役物４１の天入賞口４２に連通し、集合板ＢＣ１の中央部の高さ位置で、前記右上入賞装置４５の入球口に連通する右上球通路ＢＣ４５と合流して、集合板ＢＣ１の下端まで延びている。また、上記右上球通路ＢＣ４５と左右対称をなす位置に、前記左上入賞装置４４の入球口に連通する左上球通路ＢＣ４４が形成され、集合板ＢＣ１の下端まで延びている。また、前記中央入賞装置４６、中下入賞装置４７Ａ、４７Ｂ、右下入賞装置４８Ａ、４８Ｂ、右中入賞装置４９Ａ、４９Ｂ、左下入賞装置５５Ａ、５５Ｂならびに左中入賞装置５６Ａ、５６Ｂのそれぞれに対応する位置に、中央入賞装置用開口ＢＣ４６ａ、中下入賞装置用開口ＢＣ４７ａ、右下入賞装置用開口ＢＣ４８ａ、右中入賞装置用開口ＢＣ４９ａ、左下入賞装置用開口ＢＣ５５ａならびに左中入賞装置用開口ＢＣ５６ａがそれぞれ穿設され、さらに、上記各入賞装置に連通し２叉状に分岐して下方に延びる中央球通路ＢＣ４６、中下球通路ＢＣ４７、右下球通路ＢＣ４８、右中球通路ＢＣ４９、左下球通路ＢＣ５５ならびに左中球通路ＢＣ５６がそれぞれ形成されている。ただし、中央球通路ＢＣ４６のみは、分岐形状を有しておらず、かつ図２７に示すように集合板ＢＣ１の裏面側に形成されている点で、他の球通路ＢＣ４７、ＢＣ４８、ＢＣ４９、ＢＣ５５、ＢＣ５６とは異なる。
【００９４】
集合板ＢＣ１の裏面には、図２７および図２８に示すように、右側縁の上部に沿って、上方に突出する上下１対のサブ制御基板ケース用枢支軸２１２Ａが並置され、該サブ制御基板ケース用枢支軸２１２Ａに、前記サブ制御基板ケース２１２Ｃを支持するサブ制御基板ケース用スペーサ２１２Ｓの右側端が回動可能に軸支されるようになっている。該サブ制御基板ケース用枢支軸２１２Ａの下方には、ほぼ同様の構成を有する上下１対の主制御基板ケース用枢支軸２１６Ａが並置され、該主制御基板ケース用枢支軸２１６Ａに、前記主制御基板ケース２１６Ｃを支持する主制御基板ケース用スペーサ２１６Ｓの右側端が回動可能に軸支されるようになっている。
また、集合板ＢＣ１の裏面には、図２７に示すように、左側縁に沿って、中央寄りやや上方の位置に、円柱状に後方に突出して先端にナイラッチを係合固定する係合孔が穿設されたサブ制御基板ケース用スペーサ固定部２１２Ｆが形成され、図９に示すように、上記サブ制御基板ケース用スペーサ２１２Ｓの左側端がナイラッチ２１２Ｎにより固定されるようになっている。該サブ制御基板ケース用スペーサ固定部２１２Ｆの下方には、同様の構成を有する上下１対の主制御基板ケース用スペーサ固定部２１６Ｆが形成され、上記主制御基板ケース用スペーサ２１６Ｓの左側端が上下１対のナイラッチ２１６Ｎにより固定されるようになっている。なお、ナイラッチとは、頭部から延出する軸部の先端部が径方向に拡張するように成形されたナイロン製の締結具であり、締結対象の部材に設けた孔部に押し込んで弾性的に係合させることにより当該部材を締結するものである。
上記サブ制御基板ケース用スペーサ２１２Ｓおよび主制御基板ケース用スペーサ２１６Ｓは、それぞれ、正面視概略横長の長方形状であって両側縁が前方に延出した上面視概略コ字形状の樹脂製の部材となっており、後側面には、サブ制御基板ケース２１２Ｃおよび主制御基板ケース２１６Ｃがそれぞれ固定されて集合板ＢＣ１の裏面から所定の距離をおいた状態に保持されるようになっている。
【００９５】
リンクユニットＬＵ１のリンクケースＬＣ１は、図２５および図２６に示すように、前面側を覆う前側部ＬＣ１１と後面側を覆う後側部ＬＣ１２とに分割構成されている。前側部ＬＣ１１は、正面視概略横長の長方形状であって上端縁が部分的に上方に延出した外形を有する板状体の外縁に、後方へ延出する周壁が形成されて周囲が包囲された形状となっており、後側部ＬＣ１２は、上記前側部ＬＣ１１と重なる外形を有する板状体の外縁に、前方へ延出する周壁が形成されて周囲が包囲された形状となっていて、前側部ＬＣ１１の周壁の後端縁と後側部ＬＣ１２の周壁の前端縁とを互いにつき合わせるようにして接合することにより、内部に閉塞された空間を形成しながらリンクケースＬＣ１が構成されている。
【００９６】
上記リンクケースＬＣ１における前側部ＬＣ１１の後側面すなわち内側面には、図２５に示すように、遊技球１個が余裕をもって流下し得る間隔をおいて並走するように、下記の所定形状に長く延びる１対の突壁を２組形成することにより、左右２条の導球路ＬＧ１、ＬＧ２の前側半部が形成されている。前側部ＬＣ１１の上端縁の中央部は上方に突出し、上端に、それぞれ上方に開口した右側入球開口部ＬＧ１１および左側入球開口部ＬＧ２１が左右に並置して形成され、該右側入球開口部ＬＧ１１および左側入球開口部ＬＧ２１は、前記センター役物４１の右側通路および左側通路にそれぞれ連通している。右側導球路ＬＧ１は、上記右側入球開口部ＬＧ１１から下方に延び、左折して左方に緩やかに下傾しながら延びた後、再び下方に延び、ついで左方にやや膨出するように緩やかに弧状に湾曲しながら下方に延びて第１湾曲部ＬＧ１２を形成し、該第１湾曲部ＬＧ１２の下端からさらに左折して左方へ緩やかに下傾しながら延びた後、再び左方にやや膨出するように緩やかに弧状に湾曲しながら下方に延びて第２湾曲部ＬＧ１３を形成して、前側部ＬＣ１１の下端部に達している。該第２湾曲部ＬＧ１３の下端部には、図２６に示すように排球口ＬＧ１４が穿設されており、該排球口ＬＧ１４は前記集合板ＢＣ１の左上球通路ＢＣ４４の下端部と連通している。左側導球路ＬＧ２は、図２５に示すように、上記左側入球開口部ＬＧ２１から下方に延び、左折して左方に緩やかに下傾しながら延びた後、再び下方に延び、ついで、右方にやや膨出するように緩やかに弧状に湾曲しながら、前側部ＬＣ１１の中央よりやや左上の位置まで下方に延びて第３湾曲部ＬＧ２２を形成している。該第３湾曲部ＬＧ２２の下端部には、排球口ＬＧ２３が穿設されており、該排球口ＬＧ２３は前記集合板ＢＣ１の左上球通路ＢＣ４４の中間部と連通している。
【００９７】
上記リンクケースＬＣ１の前側部ＬＣ１１において、前記集合板ＢＣ１の中央入賞装置用開口ＢＣ４６ａ、中下入賞装置用開口ＢＣ４７ａ、右下入賞装置用開口ＢＣ４８ａ、右中入賞装置用開口ＢＣ４９ａ、左下入賞装置用開口ＢＣ５５ａならびに左中入賞装置用開口ＢＣ５６ａのそれぞれに対応する位置に、中央入賞装置用開口ＬＣ４６、中下入賞装置用開口ＬＣ４７、右下入賞装置用開口ＬＣ４８、右中入賞装置用開口ＬＣ４９、左下入賞装置用開口ＬＣ５５ならびに左中入賞装置用開口ＬＣ５６がそれぞれ穿設されており、集合板ＢＣ１の上記各開口とリンクケースＬＣ１における前側部ＬＣ１１の上記各開口とが前後に連通して、後述するように各入賞装置の操作レバーを内部に挿通させ得るようになっている。
【００９８】
上記リンクケースＬＣ１における前側部ＬＣ１１のほぼ中央には、正面視において右から左にかけて漸次幅広となる概略扇形状をなして前方に段状に突出して、裏側すなわち内側から陥入する内部空間を有する第１５アーム収容部ＬＨ１５が形成され、該第１５アーム収容部ＬＨ１５内には、後述する第１５アームＲ１５が回動可能に嵌装されるようになっている。上記第１５アーム収容部ＬＨ１５の上方には、図２６に示すように、第１入賞センサ保持部ＳＨ１が前方に突出するように形成され、該第１入賞センサ保持部ＳＨ１には第１入賞センサＰＳ１が前方から嵌装され支持固定されるようになっている。該第１入賞センサ保持部ＳＨ１の下には、前記図２７に示す集合板ＢＣ１の中央球通路ＢＣ４６に対応する正面形状を有して該中央球通路ＢＣ４６の側壁の一部をなす中央リブＲＣ４６が形成されており、該中央リブＲＣ４６は、第１入賞センサ保持部ＳＨ１の下部から左下方へ延びた後、上記第１５アーム収容部ＬＨ１５の扇形状の左側縁に沿って湾曲形状をなしながら下方へ延びる中央湾曲部ＬＣ４６１を形成し、該中央湾曲部ＬＣ４６１の下端からふたたび左下方へ延びている。上記中央湾曲部ＬＣ４６１の左方には、後方に突出する中央規制ピンＬＰ１１が形成されている。
【００９９】
上記リンクケースＬＣ１における前側部ＬＣ１１の下端縁の中央よりやや右寄りの位置およびやや左寄りの位置には、それぞれ第２入賞センサ保持部ＳＨ２および第３入賞センサ保持部ＳＨ３が前方に突出するように形成され、該第２入賞センサ保持部ＳＨ２および第３入賞センサ保持部ＳＨ３には、それぞれ第２入賞センサＰＳ２および第３入賞センサＰＳ３が前方から嵌装され支持固定されるようになっている。図２５に示すように、リンクケースＬＣ１における前側部ＬＣ１１の下端縁のほぼ中央の位置、やや右寄りの位置およびやや左寄りの位置には、それぞれ第４入賞センサ保持部ＳＨ４、第５入賞センサ保持部ＳＨ５および第６入賞センサ保持部ＳＨ６が形成され、該第４入賞センサ保持部ＳＨ４、第５入賞センサ保持部ＳＨ５および第６入賞センサ保持部ＳＨ６には、それぞれ第４入賞センサＰＳ４、第５入賞センサＰＳ５および第６入賞センサＰＳ６が後方から嵌装され支持固定されるようになっており、前記の２つもあわせた第２入賞センサＰＳ２ないし第６入賞センサＰＳ６の計５つの入賞センサが、リンクケースＬＣ１における前側部ＬＣ１１の下端縁に沿って平面視概略Ｗ字形状をなしてジグザグに配列されている。また、図２５および図２６に示すように、リンクケースＬＣ１における前側部ＬＣ１１の中段部の右端近傍および左端近傍であって前記右中入賞装置用開口ＬＣ４９および左中入賞装置用開口ＬＣ５６の下方の位置には、それぞれ第７入賞センサ保持部ＳＨ７および第８入賞センサ保持部ＳＨ８が前方に突出するように形成され、該第７入賞センサ保持部ＳＨ７および第８入賞センサ保持部ＳＨ８には、それぞれ第７入賞センサＰＳ７および第８入賞センサＰＳ８が前方から嵌装され支持固定されるようになっている。遊技領域において各入賞口に入賞した遊技球は、遊技盤４の裏側で集合板ＢＣ１ないしリンクケースＬＣ１に案内され、それぞれ所定の経路を経て上記第１入賞センサＰＳ１ないし第８入賞センサＰＳ８の計８つのうちの所定の入賞センサを通過し、各入賞センサにより検知されるようになっている。
【０１００】
上記リンクケースＬＣ１における前側部ＬＣ１１には、高さ位置において中央より若干上方であって左右位置において中央よりやや左方およびやや右方にある２箇所に、それぞれ後方に突出し先端に係止爪を有する係止片ＬＴ１１、ＬＴ１１が形成されており、また、この他にも、詳しい説明は省略するが、後述するリンク機構を構成する多数の回動軸の一方端を支持する孔やリンク機構の各部の動作を規制する規制ピンの他、後側部ＬＣ１２と接合するためのネジ穴部、リンクユニットＬＵ１を集合板ＢＣ１に取り付けるためのネジ挿通孔等が各所に配置形成されている。
【０１０１】
上記リンクケースＬＣ１における後側部ＬＣ１２の前側面すなわち内側面には、図２６に示すように、前記右側導球路ＬＧ１および左側導球路ＬＧ２の後側半部が形成されている。また、リンク機構を構成する多数の回動軸を支持固定するための軸支部の他、前側部ＬＣ１１と接合するためのネジ挿通部、リンクユニットＬＵ１を集合板ＢＣ１に取り付けるためのネジ挿通部等が各所に配置形成されている。
【０１０２】
上記リンクケースＬＣ１における後側部ＬＣ１２の後側面すなわち外側面のほぼ中央には、図２５に示すように、正面視横長の長方形状をなして後方へ延出する周壁で包囲された中継端子板収容部ＬＣ２１５が形成されており、該中継端子板収容部ＬＣ２１５内に前記盤面中継端子板２１５が嵌装され固定されるようになっている。上記中継端子板収容部ＬＣ２１５の右下の位置および左下の位置には、左右から爪が互いに入れ違い式に近接しあうように延出する形状を有するハーネス拘束部ＬＣ１２１、ＬＣ１２２がそれぞれ形成され、該ハーネス拘束部ＬＣ１２１、ＬＣ１２２に、前記第２入賞センサＰＳ２ないし第８入賞センサＰＳ８の計７つの入賞センサと盤面中継端子板２１５とを接続するハーネス（図示せず）が、左右に分けてそれぞれ一括して拘束されるようになっている。また、リンクケースＬＣ１における後側部LＣ１２の左右２箇所には、それぞれ前記前側部LＣ１１の係止片ＬＴ１１、ＬＴ１１に対応する係止孔ＬＴ１２、ＬＴ１２が穿設され、該係止孔ＬＴ１２、ＬＴ１２に係止片ＬＴ１１、ＬＴ１１を係止させ得るようになっており、これにより、リンクケースＬＣ１の前側部LＣ１１と後側部LＣ１２とを、ネジにより締結固定した本締め状態としていない段階で、着脱自在に係止した仮止め状態とすることができ、取付作業や点検、補修作業等がより行い易い構成となっている。
【０１０３】
右リンク機構Ｌ１は、前述の通り、図１８および図１９に示すように第１アームＲ１ないし第５アームＲ５が連動して前記中央入賞装置４６の可動翼（チューリップ）４６Ｔおよび前記下段側右中入賞装置４９Ｂの可動翼（チューリップ）４９Ｔを開放するように駆動する構成となっている。第１アームＲ１は、図１８（ａ）に示すように、右端よりやや内側の位置で回動軸ＬＡ１により回動自在に軸支されている。該回動軸ＬＡ１は、一方端が図２６に示すように前記リンクケースＬＣ１における後側部ＬＣ１２の軸支部（前記中継端子板収容部ＬＣ２１５の内側すなわち前側の位置に形成された軸支部）に固定されるとともに、他方端が前側部ＬＣ１１の支持孔に支持固定され、これにより前後方向すなわち実質的に水平方向に架設されている（以下の他の各回動軸も同様に架設されている）。第１アームＲ１の左端には、図１８（ａ）に示すように、球受け部ＲＲ１が形成され、該球受け部ＲＲ１の上面部には、上方から流下してくる遊技球Ｍ１を受ける平面視概略矩形状の球受け面が形成されるとともに、下面部には、上方に平面視概略矩形状に陥入し先端側に上端から下端にかけて漸次先端側方向に傾斜する傾斜面ＲＳ１を有する係合凹部が形成されている。図２６に示すように、前記リンクケースＬＣ１の後側部ＬＣ１２において、右側導球路ＬＧ１の第１湾曲部ＬＧ１２を構成する右側の突壁の前側縁には、所定幅を有して上端近傍から下端まで延びる切欠ＬＧ１２１が形成されており、第１アームＲ１は、該切欠ＬＧ１２１から右側導球路ＬＧ１の第１湾曲部ＬＧ１２内に球受け部ＲＲ１を差し入れるようにして取り付けられ、先端部が切欠ＬＧ１２１内を円周方向に沿って上下に自在に移動することができ、これにともない球受け部ＲＲ１が第１湾曲部ＬＧ１２内を上下に自在に移動し得るようになっている。
【０１０４】
第１アームＲ１の左端部は、図１８（ａ）に示すように、第１係合部材ＬＳ１に係合されるようになっている。該第１係合部材ＬＳ１は、上下にやや長く延び、上端が回動軸ＬＡ２により回動自在に軸支されて垂下されている。上記回動軸ＬＡ２は、図２６に示すように、前記リンクケースＬＣ１の中央より左上であって前記左側導球路ＬＧ２の下傾部分の下方の位置に配置されている。上記第１係合部材ＬＳ１の上端よりやや下方の位置には、左方に直角に延出する延出部ＬＳ１１が形成され、該延出部ＬＳ１１の先端部には、付勢手段として金属製の錘ＬＳ１２が取り付けられており、第１係合部材ＬＳ１をほぼ垂下された状態に保持するように付勢している。上記第１係合部材ＬＳ１において、延出部ＬＳ１１の反対側すなわち右側には、上端から下端にかけて漸次外方すなわち右方へ下傾する上側カム面ＬＳ１３を上部に有して正面視概略直角三角形状に右方へ突出する突出部が形成されている。該突出部の下方には、右方に延出し上方に正面視概略山形状に突出した係合突起部ＬＳ１４が形成され、該係合突起部ＬＳ１４の右端近傍から第１係合部材ＬＳ１の下端にかけて、円弧状に緩やかに湾曲しながら内側へ陥入する形状を有する下側カム面ＬＳ１５が形成され、これにともない、第１係合部材ＬＳ１における下部の右側縁が、係合突起部ＬＳ１４の右端近傍から内側すなわち左側へ漸次傾斜しながら先細りする形状となっている。図２５に示すように、前記リンクケースＬＣ１の前側部ＬＣ１１において、右側導球路ＬＧ１の第１湾曲部ＬＧ１２を構成する左側の突壁の後側縁には、所定幅を有して上端近傍から下端まで延びる切欠ＬＧ１２２が形成されており、上記第１係合部材ＬＳ１において上側カム面ＬＳ１３および下側カム面ＬＳ１５がそれぞれ形成された上下の突出部が、該切欠ＬＧ１２２から右側導球路ＬＧ１の第１湾曲部ＬＧ１２内に自在に出入し得るようになっている。上記第１係合部材ＬＳ１において、鉤状係合部ＬＳ１４の反対側すなわち左側は左方にループ状に延出し、内側に、前記回動軸ＬＡ２を中心とする円周方向に沿って延びる長孔ＬＳ１６が穿設されている。図２５に示すように、前記リンクケースＬＣ１の前側部ＬＣ１１において、右側導球路ＬＧ１の第１湾曲部ＬＧ１２の中央部近傍より左方の位置には規制ピンＬＰ１が形成されており、該規制ピンＬＰ１が図１８（ａ）に示すように上記長孔ＬＳ１６内に嵌入されることにより、上記第１係合部材ＬＳ１の回動が長孔ＬＳ１６の長さの範囲内に規制されるようになっている。
【０１０５】
第１アームＲ１の右端は、図１８（ａ）に示すように、第２アームＲ２の下端に回動自在に連結され、該第２アームＲ２の上端は第３アームＲ３の右端に回動自在に連結されている。該第２アームＲ２の中央部には金属製の錘ＲＷ２が取り付けられており、第１アームＲ１の右端および第３アームＲ３の右端を下げる方向に付勢している。図２５に示すように、前記リンクケースＬＣ１の前側部ＬＣ１１における中央よりやや右上であって前記第１５アーム収容部ＬＨ１５の上方の位置には規制ピンＬＰ２が形成されており、該規制ピンＬＰ２が図１８（ａ）に示すように第１アームＲ１の右端近傍に下方から当接して該第１アームＲ１がこれより時計回り方向へは回動し得ないように規制しており、該第１アームＲ１は、前記錘ＲＷ２により時計回り方向に付勢されて図１８（ａ）に示すように規制ピンＬＰ２に当接する位置に保持されるようになっており、この位置が初期位置となっている。なお、以下の記載において、時計回り方向とは遊技機正面から視た場合の時計回り方向である。第３アームＲ３は、中央よりやや右寄りの位置で回動軸ＬＡ３により回動自在に軸支されている。該回動軸ＬＡ３は、図２６に示すように、前記中継端子板収容部ＬＣ２１５の上方の位置に配置されている。第３アームＲ３の左端部は、図１８（ａ）に示すように、前側へ直角に折曲されて前方へ若干延び、その前端で左側へ直角に折曲され、上端縁が漸次下方に下傾する正面視概略直角三角形状をなして左方に先細に延びる作動端部ＲＡ３が形成されている。第３アームＲ３の軸支部からは、伝達レバー部ＲＴ３が下方に延びている。
【０１０６】
第３アームＲ３の伝達レバー部ＲＴ３の下端は、図１９に示すように、全体として概略Ｓ字状に上下にわずかずつ折曲しながら左右方向に長く延びる第４アームＲ４の左端に回動自在に連結され、該第４アームＲ４の右端は、第５アームＲ５の中央よりやや左寄りの軸支部から上方に延びる伝達レバー部ＲＴ５の上端に回動自在に連結されている。第５アームＲ５は、上記軸支部で回動軸ＬＡ４により回動自在に軸支されている。該回動軸ＬＡ４は、図２５および図２６に示すように、前記リンクケースＬＣ１の右上であって前記右中入賞装置用開口ＬＣ４９の左側の位置に配置されている。第５アームＲ５の左端には、金属製の錘ＲＷ５が取り付けられており、第５アームＲ５の左端を下げる方向に付勢している。第５アームＲ５の右端には、前記第３アームＲ３の作動端部ＲＡ３とほぼ左右対称の作動端部ＲＡ５が形成されている。
【０１０７】
上記右リンク機構Ｌ１は、中央入賞装置４６の可動翼（チューリップ）４６Ｔおよび下段側右中入賞装置４９Ｂの可動翼（チューリップ）４９Ｔを開放するように動作するものであるが、中央入賞装置４６の可動翼４６Ｔは下段側右中入賞装置４９Ｂの可動翼４９Ｔと同様の構成となっているためその説明を省略し、以下、下段側右中入賞装置４９Ｂの可動翼４９Ｔを含む右中入賞装置４９Ａ、４９Ｂの構成を、図２９および図３０に基づき説明する。図２９は、右中入賞装置４９Ａ、４９Ｂの正面側から視た分解斜視図であり、図３０は、右中入賞装置４９Ａ、４９Ｂの背面側から視た分解斜視図である。
【０１０８】
右中入賞装置４９Ａ、４９Ｂは、本体４９１に下記の各種部材を取り付けて構成されている。本体４９１は、正面視概略やや縦長の長円形状であってその外周部がやや不定形に放射状に延出する形状を有するフランジ４９１Ｆを有し、該フランジ４９１Ｆの右上、右下、左上および左下の計４箇所に穿設されたネジ挿通孔４９１Ｐを通してそれぞれ前方からネジを螺入することにより遊技盤４の前面上に取り付けられるようになっている。
【０１０９】
上記フランジ４９１Ｆの上部中央には上段側右中入賞装置４９Ａの上段側入球口４９２Ａが穿設され、該上段側入球口４９２Ａの下方に、正面視概略Ｔ字形状をなしてフランジ４９１Ｆの下端近傍まで延びる、下段側右中入賞装置４９Ｂの下段側開口４９２Ｂが穿設されている。上記上段側入球口４９２Ａには、４隅が角落ちした概略矩形状の正面形状を有して前方に突出し、上面部が開放されて遊技球を上方から受け後方へ案内する樋状の案内部４９３Ａが内部に形成された受け部４９４Ａが前方から取り付けられている。上記下段側開口４９２Ｂにおける上部の左右に延出する延出部分の直下の位置にはそれぞれ、前方に延びる左右１対の回動軸４９５Ｔ、４９５Ｔの一方端が、上記下段側開口４９２Ｂにおける下方に延びる中央部分を間に挟むようにして支持固定されている。上記両回動軸４９５Ｔ、４９５Ｔには、左右一対の可動翼（チューリップ）４９Ｔ、４９Ｔが回動自在に軸支されている。各可動翼４９Ｔの下端部には前後に延びる軸挿通孔４９６Ｔが穿設されて該軸挿通孔４９６Ｔに上記回動軸４９５Ｔ、４９５Ｔが挿通されるようになっている。上記軸挿通孔４９６Ｔよりも左右方向においてすぐ外方であってやや下方の位置には錘保持穴４９７Ｔが形成されて該錘保持穴４９７Ｔ内に金属製の錘（図示せず）が嵌挿固定される一方、該可動翼４９Ｔにおいて上記軸挿通孔４９６Ｔおよび錘保持穴４９７Ｔよりも上方の部分は中空状に上方へ先細に延びる形状に成形されて軽量に構成されており、可動翼４９Ｔは上記錘により開放方向に付勢されている。上記下段側開口４９２Ｂには、正面視概略椀形状をなして前方に突出し、上面部が開放されて遊技球を上方から受け後方へ案内する樋状の案内部４９８Ｂが内部に形成され、前面部に「太陽」を模した装飾板４９９Ｂが形成された構成を有する受け部５０１Ｂが前方から取り付けられている。上記装飾板４９９Ｂは案内部４９８Ｂより上方に延出し、該延出部分が上記左右両可動翼４９Ｔ、４９Ｔの下部を前方から覆い、該左右両可動翼４９Ｔ、４９Ｔの上部は露出させるようになっている。該装飾板４９９Ｂの延出部分の裏面側における左右２箇所には、軸支穴が中央部に形成されて後方に円柱状に若干突出する軸支部５０２Ｂ、５０２Ｂがそれぞれ形成され、各軸支部５０２Ｂ、５０２Ｂに上記左右の回動軸４９５Ｔ、４９５Ｔの他方端が支持固定されるようになっている。
【０１１０】
上記フランジ４９１Ｆの裏面側には、操作レバー支持部４９１Ｃが形成されている。該操作レバー支持部４９１Ｃは、概略縦長の箱形状をなして後方へ突出する形状を有し、内部に操作レバー５０３が支持されるとともに、上記上段側入球口４９２Ａないし下段側開口４９２Ｂに入球した遊技球を遊技盤４の裏面側へ案内する部材ともなっている。該操作レバー支持部４９１Ｃの両側面部および下端面部は壁面をなすように形成されて閉塞され、後側面部の大部分は開放されている。該操作レバー支持部４９１Ｃの上端面部には、両側が一部開放され後側へ漸次下傾しながら延びる上壁部４９１Ｔが形成されている。該操作レバー支持部４９１Ｃの内部であって中央よりやや上方の位置には、前記下段側開口４９２Ｂの上端縁から連続して後側へ漸次下傾しながら延びる下段側上壁部４９２Ｔが形成されており、該下段側上壁部４９２Ｔは、前記下段側開口４９２Ｂにおける上部の左右に延出する延出部分に対応して、操作レバー支持部４９１Ｃの両側面部より側方へはみ出すように形成されている。上記操作レバー支持部４９１Ｃの両側面部、上壁部４９１Ｔおよび下段側上壁部４９２Ｔにより両側面および上下面を包囲された空間は、１個の遊技球が流下し得る球通路となっていて、その前端部が前記上段側入球口４９２Ａに連通している。
【０１１１】
操作レバー５０３は、平面視概略前後にやや長く延びる長方形の厚板状の本体部５０３Ｂを有し、該本体部５０３Ｂのほぼ中央部には幅方向に貫通する軸挿通孔５０３Ｆが穿設されている。前記操作レバー支持部４９１Ｃの両側面部における中央よりやや下方であって後側端縁寄りの位置にはそれぞれ軸挿通孔４９１Ｋ、４９１Ｋが穿設されており、操作レバー５０３は、上記操作レバー支持部４９１Ｃの軸挿通孔４９１Ｋ、４９１Ｋおよび本体部５０３Ｂの軸挿通孔５０３Ｆに回動軸５０４を挿通し固定することにより、該回動軸５０４を中心として回動自在に操作レバー支持部４９１Ｃに軸支される。上記操作レバー５０３の本体部５０３Ｂの前端縁からは、後上方へ上傾しながら延びる球止面部５０３Ｓが延出するとともに、前下方へ下傾しながら延びる係止突起５０３Ｃが延出している。上記本体部５０３Ｂの右側縁において前記軸挿通孔５０３Ｆより前側の部分からは、下方に延びる垂下片が延出し、該垂下片の下端からは左方に延びる球受け片５０３Ｒが延出しており、上記本体部５０３Ｂ、垂下片および球受け片５０３Ｒが正面視概略コ字形状をなすように形成されている。上記球受け片５０３Ｒは上面視先細形状となるように前方へ延びる形状となっており、先端部はやや前上方に上傾している。上記本体部５０３Ｂの右側縁には、前端近傍から後端近傍にかけて、上方に延出するガイド壁５０３Ｇが形成され、上記本体部５０３Ｂの後側縁には、上方に延出する球止壁５０３Ｅが形成されている。上記本体部５０３Ｂの上面において前記軸挿通孔５０３Ｆより後側の部分には、左方へ漸次下傾する排球面５０３Ｔが形成されている。上記本体部５０３Ｂの右側縁部は、該本体部５０３Ｂの後端よりもさらに後方に棹状に延出して柄部５０３Ｈが形成されている。
【０１１２】
上記操作レバー支持部４９１Ｃの両側面部における軸挿通孔４９１Ｋ、４９１Ｋよりやや上方の位置には、後方へ延出して先端で平面視コ字形状をなして閉じた形状を有する囲壁部４９１Ｓが形成され、前記操作レバー５０３は該囲壁部４９１Ｓより内側で回動自在に軸支されるようになっている。該囲壁部４９１Ｓの後端面は下方に先細りしながら延出して球止壁として機能するようになっている。上記操作レバー支持部４９１Ｃの両側面部における軸挿通孔４９１Ｋ、４９１Ｋより後下方の位置には、ピン挿通孔４９１Ｎ、４９１Ｎがそれぞれ穿設されて両ピン挿通孔４９１Ｎ、４９１Ｎの間に規制ピン５０５が架設され、前記操作レバー５０３の後端部が該規制ピン５０５より下方へは回動し得ないように規制されるようになっている。
【０１１３】
上記操作レバー５０３がほぼ水平状態にあるときには、図１９（ａ）に示すように、前記左右両可動翼４９Ｔ、４９Ｔの軸挿通孔４９６Ｔ、４９６Ｔより下方の下端部の間に操作レバー５０３の係止突起５０３Ｃが上方から嵌入して両可動翼４９Ｔ、４９Ｔを閉止状態に係止する。このとき、両可動翼４９Ｔ、４９Ｔの上端は前記受け部４９４Ａの下端面部に近接するため、両可動翼４９Ｔ、４９Ｔの間には遊技球が入球することができない状態となっている。
【０１１４】
上記のように両可動翼４９Ｔ、４９Ｔが閉止状態にあるとき、前記図２９および図３０に示す受け部４９４Ａに遊技球が入球すると、図示省略するが、該遊技球は前記上段側入球口４９２Ａから操作レバー支持部４９１Ｃの上部に入り、下段側上壁部４９２Ｔ上を流下して操作レバー５０３の排球面５０３Ｔ上へ案内される。該排球面５０３Ｔ上に載った遊技球は、該操作レバー５０３のガイド壁５０３Ｇおよび球止壁５０３Ｅないし前記操作レバー支持部４９１Ｃの囲壁部４９１Ｓにより制止されて該排球面５０３Ｔ上にいったん留まり、操作レバー５０３の後側部を自重により押し下げながら、該排球面５０３Ｔの傾斜により案内されて左側へ排出される。
【０１１５】
上記のように操作レバー５０３の後側部が押し下げられると、操作レバー５０３の係止突起５０３Ｃが左右両可動翼４９Ｔ、４９Ｔの間から上方に抜け出すように離れて係止が解除され、左右両可動翼４９Ｔ、４９Ｔが錘により上端が拡開するように両側へ回動し、図１９（ｂ）に示した状態と同様の開放状態となる（ただし、図１９（ｂ）に示す開放状態は、受け部４９４Ａへの遊技球の入球ではなく後述するリンク機構の駆動によるものである）。
【０１１６】
上記のように両可動翼４９Ｔ、４９Ｔが開放状態にあるとき、前記図２９および図３０に示す受け部４９４Ａに遊技球が入球すると、該遊技球は前記閉止状態の場合と同様にして操作レバー５０３の排球面５０３Ｔ上へ案内され左側へ排出されるが、両可動翼４９Ｔ、４９Ｔも開放されて入球可能となっており、両可動翼４９Ｔ、４９Ｔの間に遊技球が入球すると、図示省略するが、該遊技球は両可動翼４９Ｔ、４９Ｔの下端部を押し広げて両可動翼４９Ｔ、４９Ｔを閉止状態に復帰させながら、前記操作レバー５０３の球受け片５０３Ｒ上へ流下する。ついで、該球受け片５０３Ｒ上に載った遊技球は、操作レバー５０３の前側部を自重により押し下げながら、該球受け片５０３Ｒから操作レバー支持部４９１Ｃの下端面部上に流下し、該操作レバー支持部４９１Ｃの下端部から後方へ排出される。上記のように操作レバー５０３の前側部が押し下げられると、該操作レバー５０３がほぼ水平状態に復帰し、前記左右両可動翼４９Ｔ、４９Ｔの下端部の間に操作レバー５０３の係止突起５０３Ｃが嵌入して、両可動翼４９Ｔ、４９Ｔが再び閉止状態に係止される。
【０１１７】
以上の通り、下段側右中入賞装置４９Ｂの可動翼４９Ｔ、４９Ｔは、受け部４９４Ａへ遊技球が入球することにより開放状態となり、開放状態となった可動翼４９Ｔ、４９Ｔ自体に遊技球が入球することにより閉止状態に復帰する構成となっている。この下段側右中入賞装置４９Ｂの可動翼４９Ｔ、４９Ｔの構成は、前述の通り中央入賞装置４６の可動翼４６Ｔ、４６Ｔと同様であるが、該可動翼４９Ｔ、４９Ｔも含め、右中入賞装置４９Ａ、４９Ｂの構成は前記中下入賞装置４７Ａ、４７Ｂ、右下入賞装置４８Ａ、４８Ｂならびに左下入賞装置５５Ａ、５５Ｂと同様であり、さらに、操作レバーの構成が左右対称であって排球面からの排球方向も右側となっている点ならびに装飾板が「星」を模した形状となっている点を除けば、左中入賞装置５６Ａ、５６Ｂも基本的に同様の構成となっている。上記計６つの入賞装置は、図５、図２４および図６に示すように、遊技盤４の所定箇所にそれぞれ穿設された貫通孔に前方から嵌装され、操作レバー支持部（４９１Ｃ）を遊技盤４の裏面よりも後方に突出させるようにして、遊技盤４の前面にフランジ（４９１Ｆ）で固定される。各入賞装置の操作レバー（５０３）の柄部（５０３Ｈ）は、前記集合板ＢＣ１の中央入賞装置用開口ＢＣ４６ａ、中下入賞装置用開口ＢＣ４７ａ、右下入賞装置用開口ＢＣ４８ａ、右中入賞装置用開口ＢＣ４９ａ、左下入賞装置用開口ＢＣ５５ａおよび左中入賞装置用開口ＢＣ５６ａならびに前記リンクケースＬＣ１の前側部ＬＣ１１の中央入賞装置用開口ＬＣ４６、中下入賞装置用開口ＬＣ４７、右下入賞装置用開口ＬＣ４８、右中入賞装置用開口ＬＣ４９、左下入賞装置用開口ＬＣ５５および左中入賞装置用開口ＬＣ５６をそれぞれ通して、リンクケースＬＣ１内でリンク機構と連係して動作し得る位置まで延びている。
【０１１８】
上記右リンク機構Ｌ１が作動する前の段階では、図１８（ａ）に示すように、第１アームＲ１が、錘ＲＷ２の付勢により時計回り方向に回動して右端近傍が規制ピンＬＰ２に当接することにより、これより時計回り方向へは回動し得ないように規制されるとともに、球受け部ＲＲ１の下面部の係合凹部が第１係合部材ＬＳ１の係合突起部ＬＳ１４に係合することにより、これより反時計回り方向へも回動し得ないように規制されて、初期位置に不動に保持されている。このとき、第１係合部材ＬＳ１の係合突起部ＬＳ１４が球受け部ＲＲ１の係合凹部に下方から入り込んで係合することにより、遊技機の振動等を受けても第１係合部材ＬＳ１と第１アームＲ１との係合が解除されることなく確実に保持されるようになっている。
【０１１９】
この段階で、前記右側導球路ＬＧ１の第１湾曲部ＬＧ１２に上方から遊技球Ｍ１が入ると、該遊技球Ｍ１は第１湾曲部ＬＧ１２内を流下する途上で、該第１湾曲部ＬＧ１２内に進入している第１係合部材ＬＳ１の右上の突出部における上側カム面ＬＳ１３に当接し、該突出部を第１湾曲部ＬＧ１２から押し出すように左方へ押しのけながら、第１アームＲ１の球受け部ＲＲ１上に載る。このとき、第１係合部材ＬＳ１が左方へ押しのけられるように揺動することにより、係合突起部ＬＳ１４が第１アームＲ１の球受け部ＲＲ１の係合凹部から離脱して係合が解除される。
【０１２０】
上記遊技球Ｍ１は図１８（ｂ）に示すように、第１アームＲ１の球受け部ＲＲ１を自重により押し下げて該第１アームＲ１を反時計回り方向へ回動させながら、第１湾曲部ＬＧ１２内をさらに下方へ流下していく。このとき、第１係合部材ＬＳ１は、長孔ＬＳ１６の右端が規制ピンＬＰ１に当接することにより、これより左方へは揺動し得ないように規制される。
【０１２１】
上記のように第１アームＲ１が初期位置から反時計回り方向へ回動すると、これと連動して第３アームＲ３が図１８（ｂ）に示すように反時計回り方向へ回動する。このとき、第３アームＲ３の作動端部ＲＡ３が、中央入賞装置４６の操作レバーの柄部４６Ｈを上方から押し下げ、これにより中央入賞装置４６の可動翼４６Ｔ、４６Ｔが開放される。
【０１２２】
また、上記のように第３アームＲ３が回動すると、図１９（ｂ）に示すように、前記第４アームＲ４を介し第５アームＲ５が連動して時計回り方向へ回動する。このとき、第５アームＲ５の作動端部ＲＡ５が、下段側右中入賞装置４９Ｂの操作レバー５０３の柄部５０３Ｈを上方から押し下げ、これにより下段側右中入賞装置４９Ｂの可動翼４９Ｔ、４９Ｔが開放される。
【０１２３】
上記遊技球Ｍ１が第１アームＲ１の球受け部ＲＲ１とともに第１湾曲部ＬＧ１２の下端に達すると、該第１アームＲ１は該第１湾曲部ＬＧ１２の下端に行き当たってこれより反時計回り方向へは回動し得ず、図１８（ｂ）に示すように左下方へ傾斜した体勢となり、ついで図１８（ｃ）に示すように、遊技球Ｍ１が第１アームＲ１の球受け部ＲＲ１から左方へ転落し、右側導球路ＬＧ１内をさらに流下していく。
【０１２４】
上記のように遊技球Ｍ１が第１アームＲ１の球受け部ＲＲ１から離脱すると、第１アームＲ１は、図１８（ｃ）に示すように、錘ＲＷ２（および第５アームＲ５の錘ＲＷ５）の付勢により、上述の回動方向とは逆の時計回り方向すなわち初期位置に復帰する方向に回動する。このとき、第１係合部材ＬＳ１がすでに錘ＬＳ１２の付勢により垂下状態に復帰し、右側の上下の突出部が再び第１湾曲部ＬＧ１２内に進入しているが、右下の突出部には前記下側カム面ＬＳ１５が形成されているので、第１アームＲ１は、上記のように時計回り方向に回動する途上で、球受け部ＲＲ１の先端が上記下側カム面ＬＳ１５に当接し、該下側カム面ＬＳ１５上を摺動して第１係合部材ＬＳ１の下端部を第１湾曲部ＬＧ１２から押し出すように左方へ押しのけながら、初期位置へと回動していく。
【０１２５】
第１アームＲ１が初期位置まで戻ると、右端近傍が再び規制ピンＬＰ２に当接してこれより時計回り方向への回動が規制されるとともに、球受け部ＲＲ１の先端が上記第１係合部材ＬＳ１の下側カム面ＬＳ１５の上端から上方へ離脱し、第１係合部材ＬＳ１が錘ＬＳ１２の付勢により垂下状態に再度復帰する。これにともない、第１アームＲ１の球受け部ＲＲ１の係合凹部が第１係合部材ＬＳ１の係合突起部ＬＳ１４に下方から係合されて、図１８（ａ）に示す作動前段階と同じ状況が再現する。ただしこのとき、第３アームＲ３および第５アームＲ５も第１アームＲ１と連動して初期位置まで戻るが、この復帰動作においては、中央入賞装置４６の操作レバーの柄部４６Ｈおよび下段側右中入賞装置４９Ｂの操作レバー５０３の柄部５０３Ｈは第３アームＲ３および第５アームＲ５と連動することはなく押し下げられた位置に留まり、したがって中央入賞装置４６の可動翼４６Ｔおよび下段側右中入賞装置４９Ｂの可動翼４９Ｔの開放状態は、このあと各可動翼４６Ｔ、４９Ｔに遊技球が入球するまでそれぞれ維持される。
【０１２６】
下リンク機構Ｌ２は、図２０ないし図２２に示すように第６アームＲ６ないし第１１アームＲ１１が連動して前記下段側左下入賞装置５５Ｂ、下段側中下入賞装置４７Ｂおよび下段側右下入賞装置４８Ｂのそれぞれの可動翼５５Ｔ、４７Ｔ、４８Ｔを同時に開放するように駆動する構成となっており、前記リンクケースＬＣ１における下側半分の左端近傍から右端近傍に渡って配置されている。
【０１２７】
下リンク機構Ｌ２は、第２係合部材ＬＳ２を備えるが、該第２係合部材ＬＳ２ならびに第６アームＲ６および第７アームＲ７の構成はそれぞれ前記右リンク機構Ｌ１の第１係合部材ＬＳ１ならびに第１アームＲ１および第２アームＲ２の構成と同様であるためその説明は省略する。
【０１２８】
下リンク機構Ｌ２の第８アームＲ８は、前記右リンク機構Ｌ１の第３アームＲ３と基本的に同様の構成となっているが、軸支部から伝達レバー部ＲＴ８が上方に延びている点で第３アームＲ３とは異なっている。該第８アームＲ８の伝達レバー部ＲＴ８の上端は、図２１および図２２に示すように、左右方向に長く延びる第９アームＲ９の左端に回動自在に連結されている。第９アームＲ９は、中央部で直角に折曲して下方に延出する垂下片ＲＴ９が形成され、この折曲点すなわち垂下片ＲＴ９の上端よりやや下方の位置から直角に右方に延び、その先端で概略Ｓ字状にそれぞれ直角に折曲して、さらに右方に延びている。即ち、第９アームＲ９は、中央部に垂下片ＲＴ９を、中央部からやや右方の位置までの間に下方に矩形状に陥入する陥入部ＲＵ９をそれぞれ形成しながら、左右に長く延びるアームとなっている。
【０１２９】
上記第９アームＲ９の垂下片ＲＴ９の下端部には、図２２に示すように、左側が開放された、正面視概略右側半円形状（あるいは概略逆Ｃ字形状）の鉤部ＲＨ９が形成されている。第１０アームＲ１０は、図２１に示すように、軸支部から上方に延びる伝達レバー部ＲＴ１０を有し、該伝達レバー部ＲＴ１０の上端部に、後方へ突出する嵌合ピンＲＰ１０が取り付けられており、該嵌合ピンＲＰ１０と上記第９アームＲ９の鉤部ＲＨ９とが、それぞれ左側および右側から、離脱自在に嵌合し合い得る構成となっている。該伝達レバー部ＲＴ１０の上端部以外は、第１０アームＲ１０の構成は前記第８アームＲ８と基本的に同様の構成となっている。
【０１３０】
上記第９アームＲ９の右端は、第１１アームＲ１１の軸支部から上方に延びる伝達レバー部ＲＴ１１の上端部に回動自在に連結されている。第１１アームＲ１１は、前記前記右リンク機構Ｌ１の第５アームＲ５とほぼ左右対称をなす構成となっており、右端部には金属製の錘ＲＷ１１が取り付けられている。
【０１３１】
上記下リンク機構Ｌ２が下段側左下入賞装置５５Ｂ、下段側中下入賞装置４７Ｂおよび下段側右下入賞装置４８Ｂのそれぞれの可動翼５５Ｔ、４７Ｔ、４８Ｔを開放する動作は、以下の通り、前記右リンク機構Ｌ１の場合と基本的には同様になされるようになっている。
【０１３２】
前記したように遊技球Ｍ１が右リンク機構Ｌ１を駆動しながら右側導球路ＬＧ１の第１湾曲部ＬＧ１２を通過し、該右側導球路ＬＧ１内をさらに流下して、第２湾曲部ＬＧ１３内に入ると、初期位置にある下リンク機構Ｌ２の第６アームＲ６を押し下げるように駆動しながら該第２湾曲部ＬＧ１３内を流下し、下端部で前記排球口ＬＧ１４から排出されて集合板ＢＣ１の左上球通路ＢＣ４４へ入球していく。この途上で、図２０に示すように、下リンク機構Ｌ２の第６アームＲ６および第７アームＲ７ならびに第２係合部材ＬＳ２はそれぞれ前記右リンク機構Ｌ１の第１アームＲ１および第２アームＲ２ならびに第１係合部材ＬＳ１と全く同様にして動作する。
【０１３３】
上記第６アームＲ６が初期位置から反時計回り方向に回動すると、これと連動して、第８アームＲ８が前記右リンク機構Ｌ１の第３アームＲ３と同様にして反時計回り方向に回動する。これにともない、図２１および図２２に示すように、第９アームＲ９が、第８アームＲ８の伝達レバー部ＲＴ８に牽引されて左方へ移動する。このとき、第９アームＲ９の鉤部ＲＨ９が第１０アームＲ１０における伝達レバー部ＲＴ１０の上端部の嵌合ピンＲＰ１０と嵌合していることにより、該第１０アームＲ１０が図２１に示すように反時計回り方向に回動するとともに、図２２に示すように第１１アームＲ１１が第８アームＲ８と連動して反時計回り方向に回動する。
【０１３４】
上記のように第８アームＲ８、第１０アームＲ１０および第１１アームＲ１１が反時計回り方向に回動すると、図２０ないし図２２に示すように、前記右リンク機構Ｌ１の第３アームＲ３および第５アームＲ５の場合と同様にして、下段側左下入賞装置５５Ｂ、下段側中下入賞装置４７Ｂおよび下段側右下入賞装置４８Ｂのそれぞれの可動翼５５Ｔ、４７Ｔ、４８Ｔが駆動されて開放状態となる。
【０１３５】
この後、図示省略するが、遊技球Ｍ１が第６アームＲ６から離脱すると、下リンク機構Ｌ２は、前記右リンク機構Ｌ１の場合と同様にして初期位置に復帰する。
【０１３６】
左リンク機構Ｌ３は、図２３に示すように第１２アームＲ１２ないし第１４アームＲ１４が連動して前記下段側左中入賞装置５６Ｂの可動翼５６Ｔを開放するように駆動する構成となっており、前記リンクケースＬＣ１における左上の隅部に配置されている。
【０１３７】
第１２アームＲ１２は、左端よりやや内側の位置で回動軸ＬＡ５により回動自在に軸支されている。該回動軸ＬＡ５は、図２６に示すように、前記リンクケースＬＣ１における左上の隅部の内側に配置されている。第１２アームＲ１２は、軸支部から下方に延びる伝達レバー部ＲＴ１２を有し、左端部には金属製の錘ＲＷ１２が取り付けられている。第１２アームＲ１２の右端には、前記第１アームＲ１の球受け部ＲＲ１と左右対称をなす球受け部ＲＲ１２が形成され、該球受け部ＲＲ１２よりやや内方すなわち左方の位置に、前方に突出する係合ピンＲＰ１２が形成されている。上記伝達レバー部ＲＴ１２の下端は、第１３アームＲ１３の一方端に回動自在に連結され、該第１３アームＲ１３の他方端は、上記伝達レバー部ＲＴ１２の下端の右方で、第１４アームＲ１４の軸支部から上方に延びる伝達レバー部ＲＴ１４の上端に回動自在に連結されている。上記第１４アームＲ１４は、前記前記下リンク機構Ｌ２の第１１アームＲ１１と同様の構成となっており、右端部には金属製の錘ＲＷ１４が取り付けられている。
【０１３８】
左リンク機構Ｌ３は、第３係合部材ＬＳ３を備えるが、該第３係合部材ＬＳ３は、前記右リンク機構Ｌ１の第１係合部材ＬＳ１ないし下リンク機構Ｌ２の第２係合部材ＬＳ２に比して、配置位置や配置状況の相違に応じて若干形状が異なる部分もあるが、基本的には同様の構成となっている。
【０１３９】
上記第３係合部材ＬＳ３の上端は、回動軸ＬＡ６により回動自在に軸支されている。図２６に示すように、前記リンクケースＬＣ１における上端縁の左端近傍は上方に矩形状に突出する形状に成形されており、該突出部分内に上記回動軸ＬＡ６が配置されている。上記第３係合部材ＬＳ３は、前記第１２アームＲ１２の前側に重なるようにして垂下されている。上記第３係合部材ＬＳ３には、図２３（ｂ）に示すように、前記右リンク機構Ｌ１の第１係合部材ＬＳ１の場合とほぼ同様の、延出部ＬＳ１７、錘ＬＳ１８、上側カム面ＬＳ１９、係合突起部ＬＳ２０、下側カム面ＬＳ２１および長孔ＬＳ２２がそれぞれ設けられている。
【０１４０】
上記左リンク機構Ｌ３が作動する前の段階では、図２３（ａ）に示すように、第１２アームＲ１２が、錘ＲＷ１２の付勢により反時計回り方向に回動して伝達レバー部ＲＴ１２の右側縁が規制ピンＬＰ３に当接することにより、これより反時計回り方向へは回動し得ないように規制されるとともに、係合ピンＲＰ１２が第３係合部材ＬＳ３の係合突起部ＬＳ２０に係合することにより、これより時計回り方向へも回動し得ないように規制されて、初期位置に不動に保持されている。このとき、第３係合部材ＬＳ３の係合突起部ＬＳ２０が係合ピンＲＰ１２に右下方から係合することにより、遊技機の振動等を受けても第３係合部材ＬＳ３と第１２アームＲ１２との係合が解除されることなく確実に保持されるようになっている。
【０１４１】
この段階で、前記左側導球路ＬＧ２の第３湾曲部ＬＧ２２に上方から遊技球Ｍ１１が入ると、該遊技球Ｍ１１は第３湾曲部ＬＧ２２内を流下する途上で、該第３湾曲部ＬＧ２２内に進入している第３係合部材ＬＳ３の右上の突出部における上側カム面ＬＳ１９に当接し、該突出部を第３湾曲部ＬＧ２２から押し出すように左方へ押しのけながら、第１２アームＲ１２の球受け部ＲＲ１２上に載る。このとき、第３係合部材ＬＳ３が左方へ押しのけられるように揺動することにより、係合突起部ＬＳ２０が第１２アームＲ１２の係合ピンＲＰ１２から離脱して係合が解除される。
【０１４２】
上記遊技球Ｍ１１は図２３（ｂ）に示すように、第１２アームＲ１２の球受け部ＲＲ１２を自重により押し下げて該第１２アームＲ１２を時計回り方向へ回動させながら、第３湾曲部ＬＧ２２内をさらに下方へ流下していく。
【０１４３】
上記のように第１２アームＲ１２が初期位置から時計回り方向へ回動すると、これと連動して第１４アームＲ１４が図２３（ｂ）に示すように反時計回り方向へ回動する。このとき、第１４アームＲ１４の作動端部ＲＡ１４が、前記下段側左中入賞装置５６Ｂの操作レバーの柄部５６Ｈを上方から押し下げ、これにより下段側左中入賞装置５６Ｂの可動翼５６Ｔが開放される。
【０１４４】
この後、図示省略するが、遊技球Ｍ１１が第１２アームＲ１２の球受け部ＲＲ１２から離脱すると、左リンク機構Ｌ３は、前記右リンク機構Ｌ１ないし下リンク機構Ｌ２の場合と同様にして初期位置に復帰する。ただしこのとき、第１２アームＲ１２は、初期位置にむけて反時計回り方向に回動する途上で、球受け部ＲＲ１２の先端ではなく、係合ピンＲＰ１２が上記第３係合部材ＬＳ３の下側カム面ＬＳ２１に当接し、該下側カム面ＬＳ２１上を摺動して第３係合部材ＬＳ３の下端部を左方へ押しのけながら、初期位置へと回動していく。即ち、左リンク機構Ｌ３の第１２アームＲ１２においては、前記右リンク機構Ｌ１の第１アームＲ１ないし下リンク機構Ｌ２の第６アームＲ６の場合と同様に、球受け部ＲＲ１２が遊技球Ｍ１１を受けるように機能するが、第３係合部材ＬＳ３と連係するように機能するのは球受け部ＲＲ１２ではなく係合ピンＲＰ１２となっている。
【０１４５】
前記下リンク機構Ｌ２の第１０アームＲ１０には、図２５および図２６に示すように、第１５アームＲ１５ないし第１７アームＲ１７が連結されている。第１５アームＲ１５は、図３１および図３２に示すように、前後方向に円筒状に延びる軸挿通部Ｒ１５１の前端近傍から左方にやや長い作動部Ｒ１５２が延出し、軸挿通部Ｒ１５１の後端近傍から右方にやや短い伝達部Ｒ１５３が延出して、平面視概略Ｓ字状となるように２箇所で直角に折曲した形状となっている。上記作動部Ｒ１５２の先端には、前記右リンク機構Ｌ１の第１アームＲ１の球受け部ＲＲ１と同様の球受け部ＲＲ１５が形成されている。上記第１５アームＲ１５は、前記図２６に示す第１５アーム収容部ＬＨ１５内に、内側すなわち後方から嵌装され、軸挿通部Ｒ１５１が該第１５アーム収容部ＬＨ１５の右端部に回動自在に軸支される。第１５アーム収容部ＬＨ１５の左端縁部すなわち扇形の周部は切欠いて開放されており、この切欠部を通して、上記第１５アームＲ１５の球受け部ＲＲ１５が第１５アーム収容部ＬＨ１５よりも外側へ即ち前記リンクケースＬＣ１の前面側の外部空間へ突出するようにして配置される構成となっている。上記配置構成により、第１５アームＲ１５は、第１５アーム収容部ＬＨ１５の上縁と下縁との間の範囲内で、軸挿通部Ｒ１５１を中心として回動し、球受け部ＲＲ１５を前記中央湾曲部ＬＣ４６１内で上下に移動させ得るように保持され、また、前記第１０アームＲ１０に対し上方にやや距離を置いてパラレルに近い体勢となるように配置されている。
【０１４６】
前記第１５アームＲ１５の伝達部Ｒ１５３の先端は、図３１および図３２に示すように、前記第９アームＲ９の陥入部ＲＵ９の上方で第１６アームＲ１６の一方端に回動自在に連結され、該第１６アームＲ１６の他方端は、第１７アームＲ１７の一方端に回動自在に連結されている。該第１７アームＲ１７の他方端は、前記第１０アームＲ１０の右端に回動自在に連結されている。上記第１６アームＲ１６および第１７アームＲ１７は、正面視概略逆「く」字形状をなして中央部が右方にやや突出するように屈曲した体勢で、第１５アームＲ１５の伝達部Ｒ１５３の先端と第１０アームＲ１０の右端とを上下に連結している。該第１７アームＲ１７のほぼ中央部には、金属製の錘ＲＷ１７が取り付けられ、第１５アームＲ１５および第１７アームＲ１７を時計回り方向に付勢している。
【０１４７】
前記リンクケースＬＣ１における前側部ＬＣ１１の前側面すなわち外側面には、図２５および図２６に示すように、第４係合部材ＬＳ４が配置されている。該第４係合部材ＬＳ４は、図３１および図３２に示すように、上端から左下方へ延びた後、下向きに屈曲して下方へ延び、ついで右下向きに屈曲して右下方へ延びて、正面視概略右方にやや広がった逆コ字形状の上側部ＬＳ２３を有している。該上側部ＬＳ２３の上端には、後方へ円筒状に延出する軸挿通部ＬＳ２４が形成され、該軸挿通部ＬＳ２４が、図２６に示すように、回動軸ＬＡ７により、リンクケースＬＣ１の前側部ＬＣ１１における第１入賞センサ保持部ＳＨ１の左上の位置に、外側から軸支されている。上記第４係合部材ＬＳ４における上側部ＬＳ２３の左上の屈曲部には、金属製の錘ＬＳ２５が取り付けられ、第４係合部材ＬＳ４を反時計回り方向に付勢している。上側部ＬＳ２３の下片におけるほぼ中央からは、下側部ＬＳ２６が垂下され、該上側部ＬＳ２３の下片における下側部ＬＳ２６より右方には、右方に概略矩形状に突出する上側カム部ＬＳ２７が形成されている。上記下側部ＬＳ２６は右方に突出して該突出部の上部に係合突起ＬＳ２８が、下部に下側カム面ＬＳ２９がそれぞれ形成されるとともに、該下側部ＬＳ２６は左方にループ状に突出して長孔ＬＳ３０が形成されている。上記第４係合部材ＬＳ４は、上側部ＬＳ２３で前記第１入賞センサ保持部ＳＨ１の左側端部を包囲するようにして、即ち上側部ＬＳ２３の屈曲形状により前記第１入賞センサ保持部ＳＨ１に干渉しないように左側へ迂回するようにして垂下され、上側カム部ＬＳ２７および下側カム面ＬＳ２９を前記中央湾曲部ＬＣ４６１の上端部に進入させるとともに長孔ＬＳ３０内に前記中央規制ピンＬＰ１１を嵌入させるようにして配置されている。
【０１４８】
上記第１５アームＲ１５および第４係合部材ＬＳ４は、図示省略するが、前記右リンク機構Ｌ１の第１アームＲ１および第１係合部材ＬＳ１と同様にして動作する。上記第１５アームＲ１５は、動作前の段階では錘ＲＷ１７の付勢により時計回り方向に回動して第１５アーム収容部ＬＨ１５の上縁に沿って左方へ上傾した体勢に保持されるとともに、球受け部ＲＲ１５の下面部の係合凹部が第４係合部材ＬＳ４の係合突起部ＬＳ２７に係合することにより、これより反時計回り方向へも回動し得ないように規制されて、初期位置に不動に保持される。この段階で、前記中央入賞装置４６に遊技球が入賞すると、該遊技球は該中央入賞装置４６から後方へ排出され、前記第１入賞センサＰＳ１を通過して下方に落下し、前記前記中央湾曲部ＬＣ４６１に入る。ついで、該遊技球は、中央湾曲部ＬＣ４６１内に進入している第４係合部材ＬＳ１の右上の突出部を中央湾曲部ＬＣ４６１から押し出すように左方へ押しのけながら、第１５アームＲ１５の球受け部ＲＲ１５上に載り、該第１５アームＲ１５を自重により押し下げて第１５アーム収容部ＬＨ１５の下縁まで反時計回り方向へ回動させながら、中央湾曲部ＬＣ４６１内を流下していく。該遊技球が第１５アームＲ１５の球受け部ＲＲ１５とともに中央湾曲部ＬＣ４６１の下端に達し、該球受け部ＲＲ１５から左方へ離脱すると、第１５アームＲ１５は、前記右リンク機構Ｌ１の第１アームＲ１の場合と全く同様にして初期位置に復帰する。
【０１４９】
上記のように第１５アームＲ１５が反時計回りに回動すると、図３３に示すように、該第１５アームＲ１５の伝達部Ｒ１５３の先端が第１６アームＲ１６および第１７アームＲ１７を介して第１０アームＲ１０の右端を引き上げ、これにより該第１０アームＲ１０が第１５アームＲ１５と連動して反時計回りに回動する。このとき、第９アームＲ９は、前記第６アームＲ６と連動する構造となっており、該第６アームＲ６は第２係合部材ＬＳ２により初期位置に不動に保持されているので、第９アームＲ９も初期位置に不動に保持された状態となっているが、第１０アームＲ１０の嵌合ピンＲＰ１０は、前記第９アームＲ９の鉤部ＲＨ９に左側から離脱自在に嵌合しているので、上記のように第１０アームＲ１０が第１５アームＲ１５により駆動されるようにして反時計回りに回動すると、上記嵌合ピンＲＰ１０が鉤部ＲＨ９から左方へ離脱し、したがって第１０アームＲ１０は不動の第９アームＲ９から独立して動作することができる。即ち、上記第９アームＲ９の鉤部ＲＨ９は前記したように左側が開放された形状となっているが、この開放部が、上記第１０アームＲ１０が該第９アームＲ９から独立して反時計回り方向へ回動することを許容する逃げとして機能するものとなっている。換言すれば、上記第９アームＲ９と第１０アームＲ１０とが、該第９アームＲ９からの動力は該第１０アームＲ１０へ伝達する一方、該第１０アームＲ１０からの動力は上記鉤部ＲＨ９の開放部が逃げとして機能することにより該第９アームＲ９へは伝達しないように、一方的に動力を伝達し得る動力伝達機構により連結された構成となっている。
【０１５０】
上記第１０アームＲ１０が上記のように反時計回りに回動すると、下段側中下入賞装置４７Ｂの可動翼４７Ｔが、それまで閉止状態にあった場合には第１０アームＲ１０により駆動されて開放状態とされるが、このとき、上述の通り第１０アームＲ１０は第９アームＲ９とは連動しておらず単独で動作するため、他の入賞装置の可動翼が開放されることはない。
【０１５１】
上記第１５アームＲ１５が初期位置に復帰するとともに、第１０アームＲ１０も連動して初期位置に復帰する。上記一連の動作において、中央入賞装置４６に入賞した遊技球は、該中央入賞装置４６の可動翼４６Ｔを閉止状態としながら後方へ排出され、第１５アームＲ１５ないし第１７アームＲ１７を介し第１０アームＲ１０を駆動して、下段側中下入賞装置４７Ｂの可動翼４７Ｔのみを開放状態とする。
【０１５２】
一方、前述の通り、右側導球路ＬＧ１の第２湾曲部ＬＧ１３内を流下する遊技球Ｍ１に駆動されることにより下リンク機構Ｌ２が作動して第９アームＲ９が左方へ移動すると、第１０アームＲ１０は第９アームＲ９と連動して反時計回りに回動する。このとき、図３４に示すように、該第１０アームＲ１０の右端が第１６アームＲ１６および第１７アームＲ１７を引き上げるように作用し、一方、第１５アームＲ１５は第４係合部材ＬＳ４（図３４では図示省略）により初期位置に不動に保持されているが、第１６アームＲ１６および第１７アームＲ１７は、連結部分で自在に屈曲するため、第１０アームＲ１０の回動による作用を第１５アームＲ１５へは伝達することがなく、したがって第１０アームＲ１０が不動の第１５アームＲ１５から独立して動作することができる。なおここで、仮に第１５アームＲ１５が第４係合部材ＬＳ４により初期位置に不動に保持されていないとしても、第１６アームＲ１６および第１７アームＲ１７が上記のように連結部分で自在に屈曲することにより、該第１５アームＲ１５は初期位置に不動に留まり、伝達部Ｒ１５３の先端で第１６アームＲ１６の上端を回動自在に支承する軸支部としてのみ機能する。即ち、第１６アームＲ１６および第１７アームＲ１７が全体として屈曲自在に構成されていることで、第１０アームＲ１０の回動による変移が該第１６アームＲ１６および第１７アームＲ１７の屈曲により吸収されるようになっており、この屈曲構造が、上記第１０アームＲ１０が第１５アームＲ１５から独立して反時計回り方向へ回動することを許容する逃げとして機能するものとなっている。換言すれば、上記第１５アームＲ１５と第１０アームＲ１０とが、該第１５アームＲ１５からの動力は該第１０アームＲ１０へ伝達する一方、該第１０アームＲ１０からの動力は上記第１６アームＲ１６および第１７アームＲ１７の屈曲構造が逃げとして機能することにより該第１５アームＲ１５へは伝達しないように、一方的に動力を伝達し得る動力伝達機構により連結された構成となっている。
【０１５３】
図２５および図２６に示すように、以上の第１アームＲ１ないし第１７アームＲ１７、第１係合部材ＬＳ１ないし第４係合部材ＬＳ４、第１入賞センサＰＳ１ないし第８入賞センサＰＳ８ならびに盤面中継端子板２１５がそれぞれリンクケースＬＣ１内外の所定箇所に配置された状態で、該リンクケースＬＣ１の前側部LＣ１１と後側部LＣ１２とが接合され、上記第１入賞センサＰＳ１ないし第８入賞センサＰＳ８と盤面中継端子板２１５とがハーネス（図示せず）により接続されて、リンクユニットＬＵ１が構成されている。該リンクユニットＬＵ１は、図２４に示すように、前記集合板ＢＣ１の下部に後方から重合するようにして取り付けられる。該リンクユニットＬＵ１と集合板ＢＣ１とは、取り付けた状態では該リンクユニットＬＵ１の周部と集合板ＢＣ１との間に間隙が実質的に形成されないように互いにほぼ密に嵌合する形状となっており、これにより例えばリンクユニットＬＵ１の周囲から不正器具を進入させることが困難な構造となっている。上記のようにして取り付けられたリンクユニットＬＵ１の盤面中継端子板２１５はハーネス（図示せず）により前記主制御基板２１６に接続される。
【０１５４】
上記リンクユニットＬＵ１の構成においては、リンクケースＬＣ１が、内外に第１アームＲ１ないし第１７アームＲ１７ならびに第１係合部材ＬＳ１ないし第４係合部材ＬＳ４を一括して支持する支持基材として機能するものとなっており、該リンクユニットＬＵ１を遊技機の所定箇所に取り付けることでこれら多数の部材を一括して簡便に配置することが可能となっている。特に、第１アームＲ１ないし第１７アームＲ１７ならびに第１係合部材ＬＳ１ないし第４係合部材ＬＳ４が、前述の通り、錘により初期位置に復帰する方向に付勢されているので、リンクケースＬＣ１を、図２４に示すように起立させた取付体勢とすると、上記第１アームＲ１ないし第１７アームＲ１７ならびに第１係合部材ＬＳ１ないし第４係合部材ＬＳ４がひとりでに初期位置に復帰し、さらにこのとき、該第１係合部材ＬＳ１ないし第４係合部材ＬＳ４の係合動作により初期位置に保持されるので、例えばリンクユニットＬＵ１の取付作業時に前記中央入賞装置用開口ＬＣ４６等の開口を通して上記第１アームＲ１ないし第１７アームＲ１７のいずれかを動かすように誤って力が加えられたとしても、これら第１アームＲ１ないし第１７アームＲ１７が初期位置から動くことはない。したがって、特に固定手段等を操作しなくとも、リンクケースＬＣ１を取付体勢とするだけで第１アームＲ１ないし第１７アームＲ１７ならびに第１係合部材ＬＳ１ないし第４係合部材ＬＳ４を確実に適正な初期位置に保持した状態で取付作業を行うことができる。
また一方で、例えばリンクユニットＬＵ１の内部で球詰まり等が生じて補修を行うといったメンテナンス作業や点検等の場合には、該リンクユニットＬＵ１を遊技機の所定箇所から取り外すことで多数の部材を一括して簡便に取り外すことが可能となっており、またリンクユニットＬＵ１を遊技機から取り外した状態でメンテナンス作業や点検等が行えるため作業がより行い易い。
【０１５５】
また、上記第１アームＲ１ないし第１７アームＲ１７ならびに第１係合部材ＬＳ１ないし第４係合部材ＬＳ４のうち、第１５アームＲ１５の先端部および第４係合部材ＬＳ４はリンクケースＬＣ１の外部に配置されているが、これら以外の大部分の部材は、ほぼ閉塞したリンクケースＬＣ１の内部に収容され、さらに、上記第１５アームＲ１５の先端部および第４係合部材ＬＳ４はリンクケースＬＣ１の前面部に配置されているため、リンクユニットＬＵ１を集合板ＢＣ１に取り付けた後は該第１５アームＲ１５の先端部および第４係合部材ＬＳ４もリンクユニットＬＵ１と集合板ＢＣ１との間に挟持された状態となる。したがって、遊技機内では上記第１アームＲ１ないし第１７アームＲ１７ならびに第１係合部材ＬＳ１ないし第４係合部材ＬＳ４がいずれもリンクケースＬＣ１ないし集合板ＢＣ１により包囲された閉塞空間内に保持されることとなるため、リンク機構はリンクユニットＬＵ１の内部（ないし中央球通路ＢＣ４６）を遊技球が通過することによって以外には駆動され得ず、例えば外部から不正器具を進入させてリンク機構を不正に操作するといった不正行為は困難となっている。
【０１５６】
また、上記リンクケースＬＣ１内には、前記センター役物４１から排出された遊技球を案内する右側導球路ＬＧ１および左側導球路ＬＧ２が形成されるとともに、前面には、中央入賞装置４６から排出された遊技球を案内する中央球通路ＢＣ４６を集合板ＢＣ１とともに構成している中央リブＲＣ４６が形成されており、したがって、上記リンクユニットＬＵ１が、遊技機における集合板の機能のうちの一部を分担する「第２の集合板」あるいは「サブ集合板ユニット」ともなっている。
【０１５７】
また、上記リンクユニットＬＵ１の構成においては、主制御基板２１６に検出信号を送出する第１入賞センサＰＳ１ないし第８入賞センサＰＳ８をまとめて搭載するとともに、第１入賞センサＰＳ１ないし第８入賞センサＰＳ８の配線を盤面中継端子板２１５により中継して一括的に主制御基板２１６に接続する電気的ユニットとしても機能するものとなっている。
【０１５８】
（作用）
上記パチンコ機１０は、遊技球が入球し難いまたは入球し得ない閉状態と入球し易い開状態との間で変移し得る可変部（即ち可動翼４６Ｔ、４７Ｔ、４８Ｔ、４９Ｔ、５５Ｔ、５６Ｔ）を備える可変入賞装置（即ち中央入賞装置４６、下段側中下入賞装置４７Ｂ、下段側右下入賞装置４８Ｂ、下段側右中入賞装置４９Ｂ、下段側左下入賞装置５５Ｂならびに下段側左中入賞装置５６Ｂ）と、遊技球の自重により駆動されて初期位置から作動位置へ移動し得るとともに、初期位置から作動位置へ移動する途上で前記可変入賞装置の可変部に係合して該可変部を変移させるように、リンクアーム、操作レバー等の部材とともに連動して動作するように構成された可動部材（即ち第１アームＲ１、第６アームＲ６、第１２アームＲ１２および第１５アームＲ１５）と、該可動部材に係合して該可動部材を動作し得ないように初期位置に保持する係合部材（即ち第１ないし第４係合部材ＬＳ１〜ＬＳ４）とを備える構成において、上記可動部材が、初期位置復帰用の錘により付勢されながら可動に取り付けられるとともに、上記係合部材が、係合方向に付勢する付勢手段である錘により、上記可動部材に係合して該可動部材を動作し得ないように初期位置に保持する係合体勢に保持され、上記可動部材が、作動位置にある状態から、前記錘の付勢により、上記係合部材の一部（即ち下側カム面）に当接し摺動することにより該係合部材を押しのけながら初期位置に復帰して該係合部材に係合される構成となっている。
【０１５９】
上記パチンコ機１０の構成によれば、可動部材である第１アームＲ１、第６アームＲ６、第１２アームＲ１２および第１５アームＲ１５が、初期位置復帰用の錘により付勢されながら可動に取り付けられ、作動位置にある状態から、上記錘の付勢により上記第１ないし第４係合部材ＬＳ１〜ＬＳ４の一部（即ち下側カム面）に当接し摺動することにより該第１ないし第４係合部材ＬＳ１〜ＬＳ４を押しのけながら初期位置に復帰して該第１ないし第４係合部材ＬＳ１〜ＬＳ４に係合される構成となっていることにより、可動部材を取り付ける際に該可動部材を取付体勢とすると、該可動部材が、錘の付勢力を受けてひとりでに上記第１ないし第４係合部材ＬＳ１〜ＬＳ４を押しのけながら初期位置に復帰して該第１ないし第４係合部材ＬＳ１〜ＬＳ４に係合される。したがって、固定手段等を操作することなく、可動部材を動作し得ないように初期位置に保持した状態で取り付けることができて取付作業を簡便に行うことができる。また、上記のように可動部材が外部からの操作によることなく錘の付勢力を受けてひとりでに初期位置に復帰することで、可動部材が確実に初期位置に保持され、したがって例えば操作を忘れることによって可動部材を誤った位置とするといったことがなく、確実に適正な状態で可動部材を取り付けることができる。
【０１６０】
また、可動部材が第１ないし第４係合部材ＬＳ１〜ＬＳ４に係合されて動作し得ないように初期位置に保持されることにより、例えば外部から不正器具を侵入させて不正に可動部材を動作させようとしても、この第１ないし第４係合部材ＬＳ１〜ＬＳ４による係合を解除しなければ可動部材を動作させることができず、したがってそのぶん不正が行い難い。
【０１６１】
また、上記第１ないし第４係合部材ＬＳ１〜ＬＳ４が、回動自在に軸支されて垂下され、錘によりほぼ垂下された状態に保持するように付勢され、側部には下側カム面が形成されているので、該下側カム面に沿って可動部材を摺動させることにより、該可動部材を第１ないし第４係合部材ＬＳ１〜ＬＳ４を押しのけながら初期位置へ容易に復帰させることが可能な構成となっている。
【０１６２】
また、上記第１ないし第４係合部材ＬＳ１〜ＬＳ４の側部に上側カム面が形成されているので、該上側カム面に遊技球を当接させることにより、第１ないし第４係合部材ＬＳ１〜ＬＳ４を押しのけるようにして該第１ないし第４係合部材ＬＳ１〜ＬＳ４と可動部材との係合を容易に解除することが可能な構成となっている。
【０１６３】
また、上記第１ないし第４係合部材ＬＳ１〜ＬＳ４に、正面視概略山形状に上方に突出した係合突起部が形成され、上記可動部材の先端部に、漸次先端側方向に傾斜する傾斜面を有する係合凹部が形成されているので、該係合凹部に上記第１ないし第４係合部材ＬＳ１〜ＬＳ４の係合突起部を係合させることにより、該第１ないし第４係合部材ＬＳ１〜ＬＳ４と可動部材とを容易に係合させて確実に係合状態に保持することができるとともに、両者の係合を容易に解除することが可能な構成となっている。即ち、係合状態では、例えば可動部材に対し上下方向に力が加わったとしても、この力は係合突起部の突出方向に沿って加わるため、係合突起部が係合凹部から外れる方向には作用せず、したがって係合状態が確実に保持され、一方、第１ないし第４係合部材ＬＳ１〜ＬＳ４が遊技球により側方へ押しのけられ、係合突起部の突出方向にほぼ直角な側方向に力が加わると、係合突起部が係合凹部から側方にずれるように外れて係合状態が容易に解除されるとともに、逆に係合状態に復帰することも容易となっている。
【０１６４】
また、上記第１ないし第４係合部材ＬＳ１〜ＬＳ４の回動が、長孔と該長孔内に嵌入される規制ピンとで構成される規制機構により、該長孔の長さの範囲内に規制されているので、第１ないし第４係合部材ＬＳ１〜ＬＳ４が余剰に回動することなく適正に動作するようになっている。
【０１６５】
また、可動部材である第１アームＲ１、第６アームＲ６、第１２アームＲ１２、第１５アームＲ１５ならびに第１ないし第４係合部材ＬＳ１〜ＬＳ４のうち、第１５アームＲ１５の先端部および第４係合部材ＬＳ４以外の大部分の部材が、ほぼ閉塞したリンクケースＬＣ１の内部に収容されてリンクユニットＬＵ１が構成されているので、例えば外部から不正器具を進入させて上記部材を不正に操作するといった不正行為は困難となっている。また、該リンクユニットＬＵ１を遊技機の所定箇所に取り付けまたは取り外すことでこれら多数の部材を一括して簡便に取り付けまたは取り外すことが可能となっている。
【０１６６】
また、上記リンクユニットＬＵ１が、主制御基板２１６に接続される複数の入賞センサすなわち第１入賞センサＰＳ１ないし第８入賞センサＰＳ８がまとめて搭載され、該第１入賞センサＰＳ１ないし第８入賞センサＰＳ８の配線が中継基板すなわち盤面中継端子板２１５により中継して一括的に主制御基板２１６に接続される、電気的ユニットとしても機能する構成となっているので、該リンクユニットＬＵ１の取付にともなって上記複数の入賞センサを一括して簡便に主制御基板２１６に接続することができ、したがって作業性がより良好となっている。
【０１６７】
また、集合板ＢＣ１が、サブ制御基板２１２に接続される複数のランプ基板すなわち左上ＬＥＤ基板４４Ｓ、右上ＬＥＤ基板４５Ｓ、左側ＬＥＤ基板２１４Ｌ、右側ＬＥＤ基板２１４Ｒ、中央ＬＥＤ基板４６Ｓ、中下ＬＥＤ基板４７Ｓ、右下ＬＥＤ基板４８Ｓ、右中ＬＥＤ基板４９Ｓ、左下ＬＥＤ基板５５Ｓならびに左中ＬＥＤ基板５６Ｓがまとめて搭載され、各ランプ基板の配線が中継基板すなわち盤面ランプ中継端子板２１１により中継して一括的にサブ制御基板２１２に接続される、電気的ユニットとしても機能する構成となっているので、該集合板ＢＣ１の取付にともなって上記複数のランプ基板を一括して簡便にサブ制御基板２１２に接続することができ、したがって作業性がより良好となっている。
さらにこのとき、主制御基板２１６に接続される複数の入賞センサと、サブ制御基板２１２に接続される複数のランプ基板とが、前記リンクユニットＬＵ１と集合板ＢＣ１とに分けてそれぞれ一括搭載される構成となっているので、複数の入賞センサから主制御基板２１６への配線と複数のランプ基板からサブ制御基板２１２への配線とを、交錯させることなくそれぞれ個別に一括して整然と行うことができ、したがって作業性がさらに良好となっている。
【０１６８】
また、上記パチンコ機１０は、遊技球が入球し難いまたは入球し得ない閉状態と入球し易い開状態との間で変移し得る可変部（即ち可動翼４７Ｔ）を備える可変入賞装置（即ち下段側中下入賞装置４７Ｂ）と、該可変入賞装置の可変部を変移させるように初期位置と作動位置との間を往復して動作する可動部材（即ち第１０アームＲ１０）と、該可動部材に初期位置から作動位置へ移動する方向に動力を伝達するように個別に動作する第１駆動部材（即ち第９アームＲ９）および第２駆動部材（即ち第１５アームＲ１５）とを備え、上記第１駆動部材および第２駆動部材のそれぞれと上記可動部材とが、該第１駆動部材および第２駆動部材のそれぞれからの動力は該可動部材へ伝達する一方、該可動部材からの動力は逃げにより該第１駆動部材および第２駆動部材のそれぞれへは伝達しないように、一方的に動力を伝達し得る動力伝達機構により連結されている構成となっている。
【０１６９】
上記パチンコ機１０の構成によれば、第１駆動部材である第９アームＲ９からの動力を可動部材である第１０アームＲ１０へ伝達して該第１０アームＲ１０を初期位置から作動位置へ移動させると、この動作にともなって生じる該第１０アームＲ１０からの動力は、逃げにより第２駆動部材である第１５アームＲ１５へは伝達しない。一方、第１５アームＲ１５からの動力を第１０アームＲ１０へ伝達して該第１０アームＲ１０を初期位置から作動位置へ移動させると、この動作にともなって生じる該第１０アームＲ１０からの動力は、逃げにより第９アームＲ９へは伝達しない。このように、第９アームＲ９および第１５アームＲ１５のそれぞれと第１０アームＲ１０とを連結する動力伝達機構が、該第９アームＲ９および第１５アームＲ１５のそれぞれから該第１０アームＲ１０へ一方的に動力を伝達し得る構成となっていることにより、第９アームＲ９および第１５アームＲ１５のそれぞれによって個別に第１０アームＲ１０を駆動して作動させることが可能となっている。即ち、同一の第１０アームＲ１０を別の２つの駆動部材である第９アームＲ９および第１５アームＲ１５によってそれぞれ個別に駆動することができる。これにより、１．第１５アームＲ１５で第１０アームＲ１０を駆動することによって下段側中下入賞装置４７Ｂの可動翼４７Ｔのみを単独で開閉させる場合と、２．第９アームＲ９で第１０アームＲ１０を駆動することによって上記下段側中下入賞装置４７Ｂの可動翼４７Ｔだけでなく下段側左下入賞装置５５Ｂおよび下段側右下入賞装置４８Ｂの可動翼５５Ｔ、４８Ｔもあわせて計３対の可動翼５５Ｔ、４７Ｔ、４８Ｔを同時に開閉させる場合との、各場合１．、２．にそれぞれ対応して選択的に動作を行うという複雑なパターンが可能となっているが、このとき、第９アームＲ９および第１５アームＲ１５のそれぞれに対応して個別に可動部材を設ける必要がなく、共通の単一の可動部材として第１０アームＲ１０が設けられている構成となっているので、そのぶん機構が簡潔に構成されており、換言すれば、簡潔な構成によって複雑な動作が効率的に実現されている。
【０１７０】
また、上記第１駆動部材および第２駆動部材のそれぞれと上記可動部材とを連結する２組の動力伝達機構のうちの一方である、第９アームＲ９と第１０アームＲ１０とを連結する動力伝達機構が、嵌合ピンＲＰ１０と、一側が開放された鉤部ＲＨ９とが離脱自在に嵌合し合うことにより構成されているので、該嵌合ピンＲＰ１０と鉤部ＲＨ９とが嵌合し合う方向には動力が伝達され、該嵌合ピンＲＰ１０と鉤部ＲＨ９とが離脱する方向には動力が伝達されないようになっている。したがって、簡潔な構成により、上記のような一方的に動力を伝達し得る動力伝達機構が構成されている。
【０１７１】
また、上記第１駆動部材および第２駆動部材のそれぞれと上記可動部材とを連結する２組の動力伝達機構のうちのもう一方である、第１５アームＲ１５と第１０アームＲ１０とを連結する動力伝達機構が、第１６アームＲ１６と第１７アームＲ１７とが屈曲自在に連結されることにより構成されているので、該第１６アームＲ１６と第１７アームＲ１７とが一方側から引っ張られる場合には動力が伝達され、該第１６アームＲ１６と第１７アームＲ１７とが一方側から押圧される場合には該第１６アームＲ１６および第１７アームＲ１７が自在に屈曲することにより動力が吸収されて伝達されないようになっている。したがって、簡潔な構成により、上記のような一方的に動力を伝達し得る動力伝達機構が構成されている。
【０１７２】
（変更態様）
上記実施形態のパチンコ機１０には、各種の変更を加えることが可能である。
例えば、前記実施形態においては、可動部材として、回動することにより初期位置と作動位置との間を往復して動作するアーム（即ち第１アームＲ１、第６アームＲ６、第１０アームＲ１０、第１２アームＲ１２、第１５アームＲ１５等）が例示されていたが、可動部材としては、初期位置と作動位置との間を往復して動作し得るものであれば、上記のような回動式のものに限定されず任意の動作方式によるものが使用できる。図３５は、ベルト機構による可動部材の一例を示す模式図である。同図に示す例においては、上下のプーリＰＷ１、ＰＷ２に架設されたベルトＢＭ１が、上下に延びる導球路ＬＧ３に沿って配置され、該ベルトＢＭ１上に可動部材Ｒ１８が固定されている。該可動部材Ｒ１８は、上面が先端にむけてやや下傾する形状となっているが、これ以外の点では例えば前記実施形態における第１アームＲ１の球受け部ＲＲ１と同様の構成となっている。該可動部材Ｒ１８はそのほぼ全体を導球路ＬＧ３内に進入させるようにして配置され、該導球路ＬＧ３内を自在に上下動すなわち直線運動し得るとともに、前記実施形態における第１係合部材ＬＳ１と同様の第５係合部材ＬＳ５に係合されて初期位置に保持されるようになっている。一方、ベルトＢＭ１の反対側には伝達バーＲＴ１８が突設され、該伝達バーＲＴ１８の先端は可変入賞装置の可変部を駆動するリンク機構（図示せず）に連結されるとともに、中間部には金属製の錘ＲＷ１８が取り付けられ、上記可動部材Ｒ１８を初期位置に復帰する方向に付勢している。上記構成の可動部材Ｒ１８によれば、動作機構が異なっているが、前記実施形態の可動部材と同等に機能することができる。
【０１７３】
また、前記実施形態においては、第９アームＲ９と第１０アームＲ１０とを連結する動力伝達機構が、嵌合ピンＲＰ１０と、一側が開放された鉤部ＲＨ９とが離脱自在に嵌合し合うことにより構成されていたが、この動力伝達機構（以下、嵌合式動力伝達機構とも称す）に、例えば図３６に示すように一部変更を加えることも可能である。同図に示す例においては、第１９アームＲ１９に、円弧状に長く延びる長孔ＲＨ１９が形成され、該長孔ＲＨ１９内に、前記実施形態における第１０アームＲ１０の嵌合ピンＲＰ１０と同様の嵌合ピンＲＰ２０が嵌入し、上記長孔ＲＨ１９内を長さ方向に自在に移動し得るようになっており、これにより、第１９アームＲ１９と第２０アームＲ２０とが、前記実施形態における第９アームＲ９と第１０アームＲ１０との嵌合式動力伝達機構の場合と同様に、一方的に動力を伝達し得る動力伝達機構により連結されている。
【０１７４】
また、前記実施形態においては、第１５アームＲ１５と第１０アームＲ１０とを連結する動力伝達機構が、第１６アームＲ１６と第１７アームＲ１７とが屈曲自在に連結されることにより構成されていたが、この動力伝達機構（以下、屈曲式動力伝達機構とも称す）は、第９アームＲ９と第１０アームＲ１０との連結に適用してもよい。また、第１５アームＲ１５と第１０アームＲ１０との連結に前記嵌合式動力伝達機構を適用することも可能である。
【０１７５】
また、前記実施形態においては、係合部材を係合方向に付勢する付勢手段として錘が使用されていたが、錘以外にも、バネ等の任意の付勢手段を使用することができる。
【０１７６】
（課題を解決するための手段への追加）
本発明に係る遊技機は、手段１として、
遊技球が入球し難いまたは入球し得ない閉状態と入球し易い開状態との間で変移し得る可変部を備える可変入賞装置と、遊技球の自重により駆動されて初期位置から作動位置へ移動し得るとともに、初期位置から作動位置へ移動する途上で前記可変入賞装置の可変部に係合して該可変部を変移させるように、単独でまたは複数の部材で連動して動作するように構成された可動部材と、該可動部材に係合して該可動部材を動作し得ないように初期位置に保持する係合部材とを備える遊技機であって、
前記可動部材が、初期位置復帰用の錘により付勢されながら可動に取り付けられるとともに、前記係合部材が、係合方向に付勢する付勢手段により、前記可動部材に係合して該可動部材を動作し得ないように初期位置に保持する係合体勢に保持され、
前記可動部材が、作動位置にある状態から、前記錘の付勢により、前記係合部材の一部に当接し摺動することにより該係合部材を押しのけながら初期位置に復帰して該係合部材に係合されることを特徴とする。
本発明において、「可変入賞装置」とは、可変部が閉状態と開状態との間で変移し得る構成を有するものであればいずれも含意し、例えば、可変部として可動翼が開閉し得るように構成された、チューリップと称される可変入賞装置の他、可変部として扉状の開閉部材が回動して開閉し得るように構成された可変入賞装置等も含まれる。
また、可変部の「閉状態」および「開状態」とは、２つの状態を比較した場合において遊技球の入球しやすさの度合いがより低いほうの状態およびより高いほうの状態をそれぞれ意味し、したがって必ずしも全閉状態ないし全開状態に限定されるものではない。
また、「付勢手段」には、錘の他、バネ等の弾性体等も含まれる。
上記手段１の構成によれば、可動部材が、初期位置復帰用の錘により付勢されながら可動に取り付けられ、作動位置にある状態から、上記錘の付勢により上記係合部材の一部に当接し摺動することにより該係合部材を押しのけながら初期位置に復帰して該係合部材に係合される構成となっていることにより、可動部材を取り付ける際に該可動部材を取付体勢とすると、該可動部材が、錘の付勢力を受けてひとりでに上記係合部材を押しのけながら初期位置に復帰して該係合部材に係合される。したがって、固定手段等を操作することなく、可動部材を動作し得ないように初期位置に保持した状態で取り付けることができて取付作業を簡便に行うことができる。また、上記のように可動部材が外部からの操作によることなく錘の付勢力を受けてひとりでに初期位置に復帰することで、可動部材が確実に初期位置に保持され、したがって例えば操作を忘れることによって可動部材を誤った位置とするといったことがなく、確実に適正な状態で可動部材を取り付けることができる。
また、可動部材が係合部材に係合されて動作し得ないように初期位置に保持されることにより、例えば外部から不正器具を侵入させて不正に可動部材を動作させようとしても、この係合部材による係合を解除しなければ可動部材を動作させることができず、したがってそのぶん不正が行い難い。
【０１７７】
本発明に係る遊技機は、手段２として、前記手段１の遊技機において、
前記係合部材が、回動自在に軸支されて垂下され、錘によりほぼ垂下された状態に保持するように付勢され、側部には下側カム面が形成されていることを特徴とする。
上記手段２の構成によれば、下側カム面に沿って可動部材を摺動させることにより、該可動部材を係合部材を押しのけながら初期位置へ容易に復帰させることが可能な構成とすることができる。
【０１７８】
また、本発明に係る遊技機は、手段３として、手段２の遊技機において、
上記係合部材の側部に上側カム面が形成されていることを特徴とする。
【０１７９】
上記手段３の構成によれば、上側カム面に遊技球を当接させることにより、係合部材を押しのけるようにして該係合部材と可動部材との係合を容易に解除することが可能な構成とすることができる。
【０１８０】
また、本発明に係る遊技機は、手段４として、手段２または手段３の遊技機において、
上記係合部材に、正面視概略山形状に上方に突出した係合突起部が形成され、上記可動部材の先端部に、漸次先端側方向に傾斜する傾斜面を有する係合凹部が形成されていることを特徴とする。
【０１８１】
上記手段４の構成によれば、可動部材の係合凹部に係合部材の係合突起部を係合させることにより、該係合部材と可動部材とを容易に係合させて確実に係合状態に保持することができるとともに、両者の係合を容易に解除することが可能な構成とすることができる。
【０１８２】
また、本発明に係る遊技機は、手段５として、手段２から手段４のいずれかの遊技機において、
上記係合部材の回動が、長孔と該長孔内に嵌入される規制ピンとで構成される規制機構により、該長孔の長さの範囲内に規制されていることを特徴とする。
【０１８３】
上記手段５の構成によれば、係合部材が余剰に回動することなく適正に動作する構成とすることができる。
【０１８４】
また、本発明に係る遊技機は、手段６として、手段１から手段５のいずれかの遊技機において、
可動部材および係合部材の少なくとも一部が、ほぼ閉塞したケースの内部に収容されてユニットが構成されていることを特徴とする。
【０１８５】
上記手段６の構成によれば、例えば外部から不正器具を進入させて上記可動部材ないし係合部材を不正に操作するといった不正行為を困難とすることができる。また、該リンクユニットを遊技機の所定箇所に取り付けまたは取り外すことで可動部材ないし係合部材を一括して簡便に取り付けまたは取り外すことが可能な構成とすることができる。
【０１８６】
また、本発明に係る遊技機は、手段７として、手段６の遊技機において、
上記リンクユニットが、主制御基板に接続される複数の入賞センサがまとめて搭載され、該入賞センサの配線が中継基板により中継して一括的に主制御基板に接続される構成となっていることを特徴とする。
【０１８７】
上記手段７の構成によれば、リンクユニットの取付にともなって上記複数の入賞センサを一括して簡便に主制御基板に接続することができ、したがって作業性をより良好とすることができる。
【０１８８】
また、本発明に係る遊技機は、手段８として、手段７の遊技機において、
集合板が、サブ制御基板に接続される複数のランプ基板がまとめて搭載され、各ランプ基板の配線が中継基板により中継して一括的にサブ制御基板に接続される構成となっていることを特徴とする。
【０１８９】
本発明において、「集合板」とは、遊技球を案内し得る通路が形成された部材であればいずれも含意する。
【０１９０】
上記手段８の構成によれば、集合板の取付にともなって上記複数のランプ基板を一括して簡便にサブ制御基板に接続することができ、したがって作業性をより良好とすることができる。
さらにこのとき、主制御基板に接続される複数の入賞センサと、サブ制御基板に接続される複数のランプ基板とが、前記リンクユニットと集合板とに分けてそれぞれ一括搭載される構成となるので、複数の入賞センサから主制御基板への配線と複数のランプ基板からサブ制御基板への配線とを、交錯させることなくそれぞれ個別に一括して整然と行うことができ、したがって作業性をさらに良好とすることができる。
【０１９１】
また、本発明に係る遊技機は、手段９として、
遊技球が入球し難いまたは入球し得ない閉状態と入球し易い開状態との間で変移し得る可変部を備える可変入賞装置と、該可変入賞装置の可変部を変移させるように初期位置と作動位置との間を往復して動作する可動部材と、該可動部材に初期位置から作動位置へ移動する方向に動力を伝達するように個別に動作する第１駆動部材および第２駆動部材とを備え、
前記第１駆動部材および第２駆動部材のそれぞれと前記可動部材とが、該第１駆動部材および第２駆動部材のそれぞれからの動力は該可動部材へ伝達する一方、該可動部材からの動力は逃げにより該第１駆動部材および第２駆動部材のそれぞれへは伝達しないように、一方的に動力を伝達し得る動力伝達機構により連結されていることを特徴とする。
【０１９２】
上記手段９の構成によれば、第１駆動部材からの動力を可動部材へ伝達して該可動部材を初期位置から作動位置へ移動させると、この動作にともなって生じる該可動部材からの動力は、逃げにより第２駆動部材へは伝達しない。一方、第２駆動部材からの動力を可動部材へ伝達して該可動部材を初期位置から作動位置へ移動させると、この動作にともなって生じる該可動部材からの動力は、逃げにより第１駆動部材へは伝達しない。このように、第１駆動部材および第２駆動部材のそれぞれと可動部材とを連結する動力伝達機構が、該第１駆動部材および第２駆動部材のそれぞれから該可動部材へ一方的に動力を伝達し得る構成となっていることにより、第１駆動部材および第２駆動部材のそれぞれによって個別に可動部材を駆動して作動させることが可能となる。即ち、同一の可動部材を別の２つの駆動部材によってそれぞれ個別に駆動することができる。これにより、例えば、１つの可変入賞装置の可変部のみを単独で変移させる場合と、この可変入賞装置の可変部に他の可変入賞装置の可変部もあわせて複数の可変入賞装置の可変部を同時に変移させる場合とのそれぞれの場合に対応して選択的に動作を行うといった複雑なパターンも可能となるが、このとき、第１駆動部材および第２駆動部材のそれぞれに対応して個別に可動部材を設ける必要がなく、そのぶん機構を簡潔に構成することができ、換言すれば、簡潔な構成によって複雑な動作が効率的に実現できることとなる。
【０１９３】
また、本発明に係る遊技機は、手段１０として、手段９の遊技機において、
上記第１駆動部材および第２駆動部材のそれぞれと上記可動部材とを連結する２組の動力伝達機構のうちの少なくとも一方が、嵌合ピンと、一側が開放された鉤部とが離脱自在に嵌合し合うことにより構成されていることを特徴とする。
【０１９４】
上記手段１０の構成によれば、嵌合ピンと鉤部とが嵌合し合う方向には動力が伝達され、該嵌合ピンと鉤部とが離脱する方向には動力が伝達されないこととなる。したがって、簡潔な構成により、一方的に動力を伝達し得る動力伝達機構を構成することができる。
【０１９５】
また、本発明に係る遊技機は、手段１１として、手段９または手段１０の遊技機において、
上記第１駆動部材および第２駆動部材のそれぞれと上記可動部材とを連結する２組の動力伝達機構のうちの少なくとも一方が、複数のアームが屈曲自在に連結されることにより構成されていることを特徴とする。
【０１９６】
上記手段１１の構成によれば、複数のアームが一方側から引っ張られる場合には動力が伝達され、該複数のアームが一方側から押圧される場合には該複数のアームが自在に屈曲することにより動力が吸収されて伝達されないこととなる。したがって、簡潔な構成により、一方的に動力を伝達し得る動力伝達機構を構成することができる。
【産業上の利用可能性】
【０１９７】
以上のように、本発明は、パチンコ機等の遊技機に好適に適用し得るものである。
【符号の説明】
【０１９８】
４６Ｔ：可動翼（可変入賞装置の可変部）
Ｒ１：第１アーム（可動部材）
ＬＳ１：第１係合部材
ＲＷ２：初期位置復帰用の錘
ＬＳ１２：錘（付勢手段）
【図１】
0005645030.tif 000002
【図２】
0005645030.tif 000003
【図３】
0005645030.tif 000004
【図４】
0005645030.tif 000005
【図５】
0005645030.tif 000006
【図６】
0005645030.tif 000007
【図７】
0005645030.tif 000008
【図８】
0005645030.tif 000009
【図９】
0005645030.tif 000010
【図１０】
0005645030.tif 000011
【図１１】
0005645030.tif 000012
【図１２】
0005645030.tif 000013
【図１３】
0005645030.tif 000014
【図１４】
0005645030.tif 000015
【図１５】
0005645030.tif 000016
【図１６】
0005645030.tif 000017
【図１７】
0005645030.tif 000018
【図１８】
0005645030.tif 000019
【図１９】
0005645030.tif 000020
【図２０】
0005645030.tif 000021
【図２１】
0005645030.tif 000022
【図２２】
0005645030.tif 000023
【図２３】
0005645030.tif 000024
【図２４】
0005645030.tif 000025
【図２５】
0005645030.tif 000026
【図２６】
0005645030.tif 000027
【図２７】
0005645030.tif 000028
【図２８】
0005645030.tif 000029
【図２９】
0005645030.tif 000030
【図３０】
0005645030.tif 000031
【図３１】
0005645030.tif 000032
【図３２】
0005645030.tif 000033
【図３３】
0005645030.tif 000034
【図３４】
0005645030.tif 000035
【図３５】
0005645030.tif 000036
【図３６】
0005645030.tif 000037